(57)【要約】【課題】汎用性を損なうことなく外部接続端子への誤差込を防止することのできる電子機器を提供する。【解決手段】外部機器と接続するために筐体１１を開口する端子接続口３２と、端子接続口３２の内方に複数の外部接続端子（２４、２５）と、を備える電子機器１０である。端子接続口３２には、位置に応じていずれか１つの外部接続端子のみを露出させる端子選択部材（３４）が設けられ、端子選択部材は、各外部接続端子のうちの最も大きなものを露出させる大きさ寸法の露出窓３６を有し、複数の外部接続端子のいずれか１つを露出窓３６から露出させるとともに、他の外部接続端子を遮蔽すべく各外部接続端子の並列方向に移動可能に筐体１１に設けられている。【選択図】図４
2013114972.tif 000002
【特許請求の範囲】
【請求項１】
外部機器と接続するために筐体を開口する端子接続口と、該端子接続口の内方に複数の外部接続端子と、を備える電子機器であって、
前記端子接続口には、位置に応じていずれか１つの前記外部接続端子のみを露出させる端子選択部材が設けられ、
該端子選択部材は、前記各外部接続端子のうちの最も大きなものを露出させる大きさ寸法の露出窓を有し、複数の前記外部接続端子のいずれか１つを前記露出窓から露出させるとともに、他の前記外部接続端子を遮蔽すべく前記各外部接続端子の並列方向に移動可能に前記筐体に設けられていることを特徴とする電子機器。
【請求項２】
前記端子選択部材は、前記露出窓から露出している前記外部接続端子の名称を前記端子接続口の内方で露出させることを特徴とする請求項１に記載の電子機器。
【請求項３】
前記各外部接続端子は、前記筐体の内側において直線上に並列されていることを特徴とする請求項１または請求項２に記載の電子機器。
【請求項４】
請求項１から請求項３のいずれか１項に記載の電子機器であって、
さらに、前記露出窓から前記各外部接続端子を露出させるそれぞれの位置で前記端子選択部材を解除可能に固定する位置決め機構を備えることを特徴とする電子機器。
【請求項５】
前記位置決め機構は、前記並列方向の一方側へと前記端子選択部材を移動させる移動力を該端子選択部材に付与する弾性部材と、案内溝およびそこに干渉する案内突起を有するカム機構と、を有し、
該カム機構は、前記並列方向で見た複数の位置で、前記弾性部材からの移動力に抗して前記案内溝と前記案内突起とを干渉させることを特徴とする請求項４に記載の電子機器。
【請求項６】
前記位置決め機構は、駆動機構と、該駆動機構からの駆動力を前記端子選択部材の前記並行方向への移動力に変換する変換機構と、を有し、
該変換機構は、前記端子選択部材に設けられたギヤ歯と、該ギヤ歯に噛み合いつつ前記筐体に設けられた歯車部材と、を有し、
前記駆動機構は、前記歯車部材を回転させることを特徴とする請求項４に記載の電子機器。
【請求項７】
前記位置決め機構は、駆動機構と、前記並列方向の一方側へと前記端子選択部材を移動させる移動力を該端子選択部材に付与する弾性部材と、該弾性部材からの移動力に抗して前記端子選択部材の前記並列方向の一方側への移動を規制する規制部と、を有し、
前記駆動機構は、通電されることにより、前記弾性部材からの移動力に抗して前記端子選択部材を前記並列方向の他方へと移動させることを特徴とする請求項４に記載の電子機器。
【請求項８】
請求項６または請求項７に記載の電子機器であって、
さらに、前記駆動機構を制御する制御部を備え、
前記各外部接続端子では、予め優先順位が設定され、
前記制御部は、起動時に、前記駆動機構により前記端子選択部材を、最も高い優先順位の前記外部接続端子を前記露出窓から露出させる位置とすることを特徴とする電子機器。
【請求項９】
請求項６または請求項７に記載の電子機器であって、
さらに、前記駆動機構を制御する制御部を備え、
前記制御部は、起動時に、前記駆動機構により前記端子選択部材を、直近において前記露出窓から露出させた前記外部接続端子を前記露出窓から露出させる位置とすることを特徴とする電子機器。
【請求項１０】
請求項６から請求項９のいずれか１項に記載の電子機器であって、
さらに、前記駆動機構を制御する制御部と、該制御部の制御下で表示を行う表示部と、を備え、
前記制御部は、前記表示部に複数の前記外部接続端子のうちのいずれかを選択させる選択画面を表示させ、該選択画面において選択された前記外部接続端子を前記露出窓から露出させる位置へと前記駆動機構により前記端子選択部材を移動させることを特徴とする電子機器。
【請求項１１】
前記制御部は、現在選択されている前記外部接続端子を示す状態表示部を、前記表示部に表示させることを特徴とする請求項１０に記載の電子機器。
【請求項１２】
前記筐体に撮像光学系と該撮像光学系により形成された被写体像を取得する撮像素子とを収容した請求項１から請求項１１のいずれか１項に記載の電子機器により構成される撮像装置。
【発明の詳細な説明】
【技術分野】
【０００１】
本発明は、デジタルカメラ等の電子機器に関し、特に複数の外部接続端子を有する電子機器に関する。
【背景技術】
【０００２】
従来、電子機器の一例としてのデジタルスチルカメラやデジタルビデオカメラ（以下、「デジタルカメラ」という）では、取得した画像データを外部機器へと出力するための外部接続端子が設けられているものがある。ここで、外部接続端子では、用途や機能等に応じて様々な規格が定められており、それぞれの規格に適合する差込接続端子の差し込みが可能とされている。このため、デジタルカメラでは、使い勝手を向上させるために、異なる規格の複数の外部接続端子を設けることが考えられている。
【０００３】
ここで、複数の外部接続端子が設けられている場合、各外部接続端子では、適合しない規格の差込接続端子が誤って差し込まれる虞がある。このような誤差込は、外部接続端子や差込接続端子の不具合や電子機器の不具合を招く虞があることから、誤差込を防止するための構造が考えられている（特許文献１参照）。この構造では、差込接続端子が設けられたコネクタ部に、対象とする電子機器の外形形状（筐体の形状）に対応させて突起部を設ける。このため、この構造では、適合しない外部接続端子に差込接続端子を差し込もうとすると、その外部接続端子が設けられた設置面（筐体）に突起部が干渉するので、誤差込を防止することができる。また、適合する外部接続端子に差込接続端子を差し込むと、突起部は三脚穴の内方もしくは筐体の外側へと回避することができ、上記した設置面と突起部とが干渉することはないので、適切に差し込むことができる。
【発明の概要】
【発明が解決しようとする課題】
【０００４】
しかしながら、上記した構造では、電子機器の外形形状に対応させてコネクタ部における差込接続端子と突起部との位置関係および大きさ寸法を設定する必要があることから、互いに対応された電子機器とコネクタ部との間のみで誤差込の防止の効果を得ることができるものであり、汎用性に欠けてしまう。
【０００５】
本発明は、上記の事情に鑑みて為されたもので、汎用性を損なうことなく外部接続端子への誤差込を防止することのできる電子機器を提供することを目的とする。
【課題を解決するための手段】
【０００６】
請求項１に記載の電子機器は、外部機器と接続するために筐体を開口する端子接続口と、該端子接続口の内方に複数の外部接続端子と、を備える電子機器であって、前記端子接続口には、位置に応じていずれか１つの前記外部接続端子のみを露出させる端子選択部材が設けられ、該端子選択部材は、前記各外部接続端子のうちの最も大きなものを露出させる大きさ寸法の露出窓を有し、複数の前記外部接続端子のいずれか１つを前記露出窓から露出させるとともに、他の前記外部接続端子を遮蔽すべく前記各外部接続端子の並列方向に移動可能に前記筐体に設けられていることを特徴とする。
【発明の効果】
【０００７】
請求項１に記載の電子機器では、汎用性を損なうことなく外部接続端子への誤差込を防止することができる。
【図面の簡単な説明】
【０００８】
【図１】本発明に係る撮像装置の一例としてのデジタルカメラ１０におけるレンズ鏡胴１３の状態の変化の様子を示す説明図であり、（ａ）は収納位置を示し、（ｂ）は繰出位置を示す。
【図２】デジタルカメラ１０における制御ブロックを示す説明図である。
【図３】デジタルカメラ１０を背面側から見た様子を示す模式的な斜視図であり、（ａ）は端子蓋３３が閉じている様子を示し、（ｂ）は端子蓋３３が開けられて端子接続口３２が露出された様子を示している。
【図４】端子接続口３２内においてＵＳＢ端子２４とＨＤＭＩ端子２５とのいずれか一方が選択的に露出される様子を示す説明図であり、（ａ）はＵＳＢ端子２４が露出された様子を示し、（ｂ）はＨＤＭＩ端子２５が露出された様子を示す。
【図５】ＵＳＢ端子２４およびＨＤＭＩ端子２５の設置構造を説明するために、それらが設けられた回路基板３５と端子選択板３４と外カバー３１（端子蓋３３）とを分解して示す説明図である。
【図６】端子選択板３４および外カバー３１を図５の矢印Ａ１から見た様子を示す説明図である。
【図７】外カバー３１に端子選択板３４が設けられた様子を示す図６と同様の説明図であり、（ａ）は図４（ａ）の状態を示し、（ｂ）は図４（ｂ）の状態を示す。
【図８】外カバー３１の端子接続口３２と端子選択板３４（その露出窓３６）と両端子（ＵＳＢ端子２４およびＨＤＭＩ端子２５）との位置関係を示す説明図であり、（ａ）は図７（ａ）のＩ−Ｉ線に沿って得られた断面で示し、（ｂ）は図７（ｂ）のII−II線に沿って得られた断面で示し、（ｃ）は図７（ａ）のIII−III線に沿って得られた断面で示す。
【図９】実施例２のデジタルカメラ１０Ｂにおける特徴部分を説明するための図７と同様の説明図であり、（ａ）はＵＳＢ端子２４が露出された様子を示し、（ｂ）はＨＤＭＩ端子２５が露出された様子を示し、（ｃ）は（ａ）における端子選択板３４Ｂ、ガイド部３８Ｂ、弾性部材４１およびカム機構４２を抜き出して示している。
【図１０】デジタルカメラ１０Ｂにおけるカム機構４２の作用を説明するための説明図である。
【図１１】デジタルカメラ１０Ｂの端子接続口３２内においてＵＳＢ端子２４とＨＤＭＩ端子２５とのいずれか一方が選択的に露出される様子を示す図４と同様の説明図であり、（ａ）はＵＳＢ端子２４が露出された様子を示し、（ｂ）はＨＤＭＩ端子２５が露出された様子を示す。
【図１２】実施例３のデジタルカメラ１０Ｃにおける特徴部分を説明するための図７および図９と同様の説明図であり、（ａ）はＵＳＢ端子２４が露出された様子を示し、（ｂ）はＨＤＭＩ端子２５が露出された様子を示し、（ｃ）は（ｂ）における端子選択板３４Ｃ、ガイド部３８Ｃ、変換機構４６および駆動機構４７を抜き出して示している。
【図１３】デジタルカメラ１０Ｃにおける制御ブロックを示す図２と同様の説明図である。
【図１４】デジタルカメラ１０Ｃにおける表示部１８に選択画面５２および状態表示部５３が表示されている様子と、端子接続口３２内においてＵＳＢ端子２４とＨＤＭＩ端子２５とのいずれか一方が選択的に露出される様子と、を示す図４と同様の説明図であり、（ａ）はＵＳＢ端子２４が露出された様子（状態）を示し、（ｂ）はＨＤＭＩ端子２５が露出された様子（状態）を示す。
【図１５】実施例４のデジタルカメラ１０Ｄにおける特徴部分を説明するための図７、図９および図１２と同様の説明図であり、（ａ）はＵＳＢ端子２４が露出された様子を示し、（ｂ）はＨＤＭＩ端子２５が露出された様子を示し、（ｃ）は（ａ）における端子選択板３４Ｄ、ガイド部３８Ｄ、弾性部材４１Ｄおよび駆動機構４７Ｄを抜き出して示している。
【図１６】実施例４のデジタルカメラ１０Ｅにおける特徴部分であるＵＳＢ端子２４、ＨＤＭＩ端子２５およびＡＶ端子２６の設置構造を説明するために、それらが設けられた回路基板３５Ｅと端子選択板３４Ｅと外カバー３１Ｅ（端子蓋３３Ｅ）とを分解して示す図５と同様の説明図である。
【図１７】デジタルカメラ１０Ｅにおける制御ブロックを示す図２および図１３と同様の説明図である。
【図１８】デジタルカメラ１０Ｅにおける特徴部分を説明するための図４および図１１と同様の説明図であり、（ａ）はＵＳＢ端子２４が露出された様子を示し、（ｂ）はＨＤＭＩ端子２５が露出された様子を示し、（ｃ）はＡＶ端子２６が露出された様子を示す。
【発明を実施するための形態】
【０００９】
以下に、本願発明に係る電子機器の各実施例について図面を参照しつつ説明する。
【実施例１】
【００１０】
本発明に係る電子機器の一実施例としての撮像装置であるデジタルカメラ１０の概略的な構成を、図１から図８を用いて説明する。以下の説明では、デジタルカメラ１０を基準として、後述する撮影光学系１２の光軸（図１（ｂ）の矢印参照）方向を前後方向（被写体側が前方（Ｆ側））とし（矢印ＦＢ参照）、デジタルカメラ１０を正面視した高さ方向を上下方向とし（矢印ＵＤ参照（上側がＵ））、前後方向および上下方向を含む面に直交する方向を左右方向（デジタルカメラ１０を正面視して左手が右側方向（Ｒ側）となる）とする（矢印ＬＲ参照）。
【００１１】
まず、本発明に係る電子機器の一例としてのデジタルカメラ１０を、図１から図３を用いて説明する。デジタルカメラ１０は、図１に示すように、筐体１１の前面（図１を正面視して手前側の面）側に撮影光学系１２（図１（ｂ）参照）を有するレンズ鏡胴１３が設けられている。この撮影光学系１２は、最も被写体側に配置される対物レンズ１２ａ（図１（ｂ）参照）や、図示は略すが、固定レンズ、ズームレンズ、シャッタユニットおよび絞りユニット等の複数の光学部材を備える。対物レンズ１２ａを含む撮影光学系１２としての各光学部材は、レンズ鏡胴１３により撮影光学系１２の光軸方向（図１（ｂ）の矢印参照）に移動可能に保持される。そのレンズ鏡胴１３は、撮影光学系１２の光軸に沿って、所定の収納位置（図１（ａ）参照）と所定の繰出位置（撮影待機状態（図１（ｂ）参照））との間で進退移動（繰り出しおよび繰り入れ）可能とされている。レンズ鏡胴１３では、所定の収納位置（図１（ａ）参照）と所定の繰出位置（図１（ｂ）参照）とで移行することにより、撮影光学系１２（図１参照）の各光学部材（図示せず）を所定のごとく移動させる。
【００１２】
筐体１１では、上面（図１を正面視して上側の面）に、操作部としての電源ボタン１４、シャッターボタン１５、モード切替ダイアル１６が設けられている。電源ボタン１４は、デジタルカメラ１０を起動するための操作（起動操作）と、デジタルカメラ１０を停止するための操作（停止操作）と、をするものである。シャッターボタン１５は、被写体の撮影動作を実行するために、上下方向の下方へと押し下げる操作（以下、押下操作ともいう）をするものである。モード切替ダイアル１６は、各種のシーンモード、静止画モード、動画モード等を設定するものである。
【００１３】
また、筐体１１では、図３に示すように、背面（図３を正面視して手前側の面）にその他の操作スイッチ１７や、表示部１８（その表示面）が設けられている（図２参照）。この操作スイッチ１７は、各メニュー等の設定のための方向指示用スイッチや各種スイッチである。また、表示部１８は、撮像された画像データや記録媒体に記録された画像データに基づき画像を表示する。
【００１４】
このデジタルカメラ１０は、図２に示すように、制御部２１と、撮像素子２２と、レンズ鏡胴駆動ユニット２３と、を有する。また、デジタルカメラ１０には、ＵＳＢ（Ｕｎｉｖｅｒｓａｌ  Ｓｅｒｉａｌ  Ｂｕｓ）端子２４と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子２５と、が設けられている。制御部２１は、操作部としての電源ボタン１４、シャッターボタン１５、モード切替ダイアル１６および操作スイッチ１７に為された操作に基づく駆動処理や、撮像素子２２からの信号に基づく画像データの生成処理や、表示部１８およびレンズ鏡胴駆動ユニット２３の駆動等の制御を、記憶部２１ａに格納されたプログラムにより統括的に行う。
【００１５】
また、制御部２１は、ＵＳＢ端子２４およびＨＤＭＩ端子２５と電気的に接続されており、それらに接続された差込接続端子（外部入出力端子（図示せず））を経て、外部機器（その制御部）と情報（画像データ等）を適宜遣り取りすることが可能とされている。さらに、制御部２１は、図示を略す挿入箇所に装填された記録媒体１９への情報（画像データ等）の格納および情報の抽出を行うことが可能とされている。
【００１６】
撮像素子２２は、ＣＣＤイメージセンサやＣＭＯＳイメージセンサ等の固体撮像素子で構成されており、撮影光学系１２を通して受光面（図示せず）上に結像された被写体像を電気信号（画像データ）に変換して出力する。その出力された電気信号（画像データ）は、制御部２１へと伝送される。
【００１７】
レンズ鏡胴駆動ユニット２３は、レンズ鏡胴１３を収納位置（図１（ａ）参照）と繰出位置（図１（ｂ）参照）とで移行させることにより、撮影光学系１２の各光学部材を各々支持する光学部材保持枠（図示せず）を移動させる。
【００１８】
ＵＳＢ端子２４およびＨＤＭＩ端子２５は、デジタルカメラ１０において、制御部２１の外部機器への接続を可能とする接続端子いわゆる外部接続端子（外部出力端子）として設けられている。このＵＳＢ端子２４およびＨＤＭＩ端子２５は、図示は略すがそれぞれの規格に応じた差込接続端子の接続を可能とするものであり、接続された差込接続端子を経て外部機器（その制御部）と制御部２１との情報（画像データ等）の遣り取りを可能とする。
【００１９】
デジタルカメラ１０では、シャッターボタン１５に１段階の押下操作が為されると、制御部２１がレンズ鏡胴駆動ユニット２３を制御してピント調節の動作を実行する。また、デジタルカメラ１０では、シャッターボタン１５に２段階の押下操作が為されると、制御部２１が撮影光学系１２を通して撮像素子２２の受光面で受光した被写体像の画像データを生成し、その画像データを適宜記録媒体１９へと格納する。さらに、デジタルカメラ１０では、制御部２１の制御下で、生成した画像データに基づく画像や記録媒体１９から抽出した画像データに基づく画像を表示部１８に適宜表示させることができる。
【００２０】
本発明に係るデジタルカメラ１０では、外部機器の差込接続端子（図示せず）が接続される複数の外部接続端子すなわちＵＳＢ端子２４およびＨＤＭＩ端子２５の設置構造に特徴がある。この設置構造について、図３から図８を用いて説明する。図３は、デジタルカメラ１０を背面側から見た様子を示す模式的な斜視図であり、（ａ）は端子蓋３３が閉じている様子を示し、（ｂ）は端子蓋３３が開けられて端子接続口３２が露出された様子を示している。図４は、端子接続口３２内においてＵＳＢ端子２４とＨＤＭＩ端子２５とのいずれか一方が選択的に露出される様子を示す説明図であり、（ａ）はＵＳＢ端子２４が露出された様子を示し、（ｂ）はＨＤＭＩ端子２５が露出された様子を示す。図５は、ＵＳＢ端子２４およびＨＤＭＩ端子２５の設置構造を説明するために、それらが設けられた回路基板３５と端子選択板３４と外カバー３１（端子蓋３３）とを分解して示す説明図である。図６は、端子選択板３４および外カバー３１を図５の矢印Ａ１から見た様子を示す説明図である。図７は、外カバー３１に端子選択板３４が設けられた様子を示す図６と同様の説明図であり、（ａ）は図４（ａ）の状態を示し、（ｂ）は図４（ｂ）の状態を示す。図８は、外カバー３１の端子接続口３２と端子選択板３４（その露出窓３６）と両端子（ＵＳＢ端子２４およびＨＤＭＩ端子２５）との位置関係を示す説明図であり、（ａ）は図７（ａ）のＩ−Ｉ線に沿って得られた断面で示し、（ｂ）は図７（ｂ）のII−II線に沿って得られた断面で示し、（ｃ）は図７（ａ）のIII−III線に沿って得られた断面で示す。なお、図６および図７では、理解容易のために、ＵＳＢ端子２４とＨＤＭＩ端子２５と回路基板３５とを省略して示している。また、図８では、理解容易のために、端子蓋３３を省略して示している。
【００２１】
本発明に係るデジタルカメラ１０では、図３に示すように、筐体１１の外表面を構成する外カバー３１に設けられた端子接続口３２から、ＵＳＢ端子２４とＨＤＭＩ端子２５とのいずれか一方（図３（ｂ）に示す例ではＵＳＢ端子２４）への外部機器の差込接続端子（図示せず）の接続が可能とされている。この端子接続口３２は、筐体１１における右測面（図３を正面視して手前側の面）の外表面を構成する外カバー３１を左右方向に貫通して形成されている。端子接続口３２は、端子蓋３３により遮蔽可能とされている。
【００２２】
その端子蓋３３は、全体に板状を呈し、端子接続口３２の開口端に嵌め込むことが可能な大きさ寸法および形状とされている（図３（ａ）参照）。端子蓋３３は、連結帯３３ａにより端子接続口３２の開口端に連結されており、端子接続口３２（その開口端）からはずされた際の外カバー３１（筐体１１）すなわちデジタルカメラ１０からの脱落が防止されている（図３（ｂ）等参照）。この端子接続口３２では、図４（ａ）に示すようにＵＳＢ端子２４のみを露出させることと、図４（ｂ）に示すようにＨＤＭＩ端子２５のみを露出させることと、を選択することが可能とされている。これを可能とするために、端子接続口３２の奥側（裏側であり筐体１１の内方側）に端子選択板３４と両端子（ＵＳＢ端子２４およびＨＤＭＩ端子２５）とが設けられている（図４および図５参照）。
【００２３】
ＵＳＢ端子２４とＨＤＭＩ端子２５とは、図５に示すように、上下方向に並列して回路基板３５に実装されて設けられている。実施例１では、ＵＳＢ端子２４が下側とされ、ＨＤＭＩ端子２５が上側とされている。この回路基板３５は、図示は略すがコンデンサや抵抗等の電子部品が実装されており、上述した制御部２１（図２参照）を含む電子回路を構成する。回路基板３５は、ＵＳＢ端子２４およびＨＤＭＩ端子２５と制御部２１とを電気的に接続している。この回路基板３５は、図示は略すが筐体１１の内方でその筐体１１に固定されている。回路基板３５は、外カバー３１に対して、上下方向に並列して実装されたＵＳＢ端子２４とＨＤＭＩ端子２５との双方を、外カバー３１の端子接続口３２に左右方向で対向させる位置関係、換言すると外カバー３１（筐体１１）の右側から左右方向で端子接続口３２を見ると、その内方にＵＳＢ端子２４とＨＤＭＩ端子２５とが存在する（露出される）位置関係とされている（図８等参照）。その外カバー３１の裏側に端子選択板３４が設けられる。
【００２４】
その端子選択板３４は、平板状を呈し、外カバー３１の裏面３１ａ（図６等参照）に宛がうことが可能とされている。端子選択板３４は、端子接続口３２の開口寸法よりも大きな寸法とされており、外カバー３１の裏面３１ａに宛がわれた状態で、端子接続口３２を塞ぐことが可能とされている（図６および図７等参照）。また、端子選択板３４は、ＵＳＢ端子２４とＨＤＭＩ端子２５とが並列された上下方向で見ると、少なくとも端子接続口３２に対して後述する移動範囲分だけ大きな大きさ寸法、換言すると後述する移動範囲における位置に拘らず端子接続口３２を塞ぐことが可能な大きさ寸法とされている。
【００２５】
端子選択板３４には、ＵＳＢ端子２４とＨＤＭＩ端子２５とが並列された上下方向で見た中央に露出窓３６が設けられている。この露出窓３６は、端子選択板３４を左右方向に貫通して形成されている。露出窓３６は、デジタルカメラ１０に設けられる複数の外部接続端子のうちの最も大きなものを露出させることを可能とする大きさ寸法とされている。この露出窓３６は、実施例１では、上述したようにデジタルカメラ１０にＵＳＢ端子２４とＨＤＭＩ端子２５とが設けられていることから、僅かではあるが大きいＵＳＢ端子２４の露出を可能とする大きさ寸法とされている。ここで、露出を可能とする大きさ寸法とは、外カバー３１（筐体１１）の右側から左右方向で端子接続口３２を見た際（端子接続口３２を正面視した際）、露出窓３６の内方で当該外部接続端子を見ることが可能であるとともに、露出窓３６を経てその外部接続端子への差込接続端子（図示せず）の接続を可能とすることを言う（図４（ａ）等参照）。
【００２６】
また、端子選択板３４には、図５に示すように、表面３４ａに標示部３７が設けられている。この標示部３７は、デジタルカメラ１０に設けられる複数の外部接続端子の情報の把握を容易とするものである。標示部３７は、実施例１では、ＵＳＢ端子２４の端子の名称としてのＵＳＢの文字列からなる標示部３７ａと、ＨＤＭＩ端子２５の端子の名称としてのＨＤＭＩの文字列からなる標示部３７ｂと、を有する。この標示部３７ａおよび標示部３７ｂは、ＵＳＢ端子２４とＨＤＭＩ端子２５とが並列された上下方向で露出窓３６を挟んで並列されており、その露出窓３６の上側に標示部３７ａ（ＵＳＢの文字列）が設けられ、露出窓３６の下側に標示部３７ｂ（ＨＤＭＩの文字列）が設けられている。この標示部３７は、後述するように露出窓３６がＵＳＢ端子２４と左右方向で対向されると（図７（ａ）等参照）、標示部３７ａが端子接続口３２内に存在するとともに標示部３７ｂが端子接続口３２の下側で外カバー３１の裏側に隠れ、かつ後述するように露出窓３６がＨＤＭＩ端子２５と左右方向で対向されると（図７（ｂ）等参照）、標示部３７ｂが端子接続口３２内に存在するとともに標示部３７ａが端子接続口３２の上側で外カバー３１の裏側に隠れる位置関係とされている。この端子選択板３４は、外カバー３１の裏側において、ＵＳＢ端子２４とＨＤＭＩ端子２５とが並列された上下方向に移動可能に設けられる。実施例１では、端子選択板３４を上下方向に移動可能とするために、外カバー３１の裏面３１ａに、一対のガイド部３８が設けられている。
【００２７】
その一対のガイド部３８は、図６に示すように、前後方向で見て端子接続口３２を挟みつつ上下方向に伸びて形成されている。両ガイド部３８は、上下方向に直交する断面がＬ字状を呈し、外カバー３１の裏面３１ａから左右方向の左側（筐体１１の内側）へと突出された後に、互いに接近する方向へと屈曲されている。この両ガイド部３８は、その裏面３１ａからの突出箇所の前後方向で見た間隔と、裏面３１ａから屈曲された箇所までの左右方向で見た間隔と、が端子選択板３４を受け入れることが可能な大きさ寸法とされている。このため、両ガイド部３８は、矢印Ａ２に示すように、外カバー３１の裏面３１ａと協働して端子選択板３４を受け入れることにより、その端子選択板３４を裏面３１ａに宛がいつつ外カバー３１に対して上下方向へとスライド移動させることができる（図７および図８参照）。
【００２８】
この一対のガイド部３８では、上下方向で見た両端位置（上端部３８ａと下端部３８ｂ）において、外カバー３１の裏面３１ａから左側（筐体１１の内側）への突出量が小さくされている（図８参照）。換言すると、一対のガイド部３８では、上端部３８ａと下端部３８ｂとにおいて、裏面３１ａから屈曲された箇所までの左右方向で見た間隔が狭められている。このため、両ガイド部３８は、後述する移動可能とされた範囲の下限位置および上限位置に存在する端子選択板３４を、解除可能に固定することができる。
【００２９】
また、実施例１では、外カバー３１の裏面３１ａには、一対のガイド部３８の上下方向で見た両端位置に、一対の規制部３９が設けられている。この一対の規制部３９は、両ガイド部３８による端子選択板３４の上下方向への移動範囲を規定するものであり、裏面３１ａから左側（筐体１１の内側）へと突出されて形成されている。
【００３０】
端子選択板３４は、図７（ａ）に示すように、下側の端部が下側の規制部３９（規制部３９ａ）に当てられると（移動範囲における下限とされる）、図７（ａ）および図８（ａ）に示すように、露出窓３６を左右方向でＵＳＢ端子２４に対向させる大きさ寸法および位置関係とされている。この露出窓３６を左右方向でＵＳＢ端子２４に対向させるとは、外カバー３１（筐体１１）の右側から左右方向で端子接続口３２を経て露出窓３６を見ると（端子接続口３２および露出窓３６を正面視すると）、露出窓３６の内方にＵＳＢ端子２４が存在する（露出される）位置関係とされていることを言う（図４（ａ）および図８（ａ）参照）。このとき、標示部３７ａは、端子接続口３２内に存在され、かつ標示部３７ｂは、端子接続口３２の下側で外カバー３１の裏側に隠れる大きさ寸法および位置関係とされている。
【００３１】
また、端子選択板３４は、図７（ｂ）に示すように、上側の端部が上側の規制部３９ｂに当てられると（移動範囲における上限とされる）、図７（ｂ）および図８（ｂ）に示すように、露出窓３６を左右方向でＨＤＭＩ端子２５に対向させる大きさ寸法および位置関係とされている。この露出窓３６を左右方向でＨＤＭＩ端子２５に対向させるとは、外カバー３１（筐体１１）の右側から左右方向で端子接続口３２を経て露出窓３６を見ると（端子接続口３２および露出窓３６を正面視すると）、露出窓３６の内方にＨＤＭＩ端子２５が存在する（露出される）位置関係とされていることを言う（図４（ｂ）および図８（ｂ）参照）。このとき、標示部３７ａは、端子接続口３２の上側で外カバー３１の裏側に隠れ、かつ標示部３７ｂは、端子接続口３２内に存在される大きさ寸法および位置関係とされている。
【００３２】
このような構成であることから、デジタルカメラ１０では、端子蓋３３を開けた状態において、端子選択板３４を移動可能とされた範囲の下限位置に存在させることにより（図７（ａ）および図８（ａ）参照）、端子接続口３２において、露出窓３６からＵＳＢ端子２４を露出させるとともに、その上方に標示部３７ａを配することができる（図４（ａ）参照）。また、デジタルカメラ１０では、端子蓋３３を開けた状態において、端子選択板３４を移動可能とされた範囲の上限位置に存在させることにより（図７（ｂ）および図８（ｂ）参照）、端子接続口３２において、露出窓３６からＨＤＭＩ端子２５を露出させるとともに、その下方に標示部３７ｂを配することができる（図４（ｂ）参照）。このため、端子選択板３４は、端子接続口３２において露出させる端子を選択するための端子選択部材として機能する。このとき、デジタルカメラ１０では、一対のガイド部３８の上端部３８ａと下端部３８ｂとが外カバー３１の裏面３１ａからの間隔が狭められていることから、露出窓３６からＵＳＢ端子２４を露出させた状態もしくは露出窓３６からＨＤＭＩ端子２５を露出させた状態で、端子選択板３４を固定することができる。このことから、実施例１では、一対のガイド部３８の上端部３８ａと下端部３８ｂとが、端子選択部材（端子選択板３４）を解除可能に固定する位置決め機構として機能する。
【００３３】
実施例１のデジタルカメラ１０では、端子接続口３２に設けられた複数の外部接続端子すなわちＵＳＢ端子２４とＨＤＭＩ端子２５とにおいて、端子選択板３４の露出窓３６からいずれか一方のみを露出させることができ、かつその状態において他方を端子選択板３４で隠すことができるので、誤差込を防止することができる。これは、以下のことによる。複数の外部接続端子が目の前にある場合には、使用者はいずれの外部接続端子に差込接続端子を差し込めば良いのか、換言すると、いずれの外部接続端子が差込接続端子に適合する規格のものであるのか、が解らず、差込接続端子を誤って適合しない規格の外部接続端子に差し込んでしまう虞がある。すなわち、使用者は、複数の外部接続端子が目の前にある場合、例えば、形の違いを見分けることでいずれの外部接続端子がいずれの規格であるのかを判断する必要があるが、形状からの見分けでは誤った判断を下す虞があり、特に異なる規格であっても似通った形状である場合には判別が容易ではない。また、各外部接続端子の色を異なるものとすることにより、各外部接続端子の規格の判断を容易なものとすることも考えられているが、例えば暗がりである場合のように、使用者が色を適切に把握することができない場合、誤った判断を下す虞がある。これに対し、実施例１のデジタルカメラ１０では、端子接続口３２に、必ずＵＳＢ端子２４かＨＤＭＩ端子２５のいずれか一方しか存在していないことから、いずれの端子が差込接続端子（図示せず）に適合する規格のものであるのかを使用者に判断させることがないので、誤差込を防止することができる。
【００３４】
また、実施例１のデジタルカメラ１０では、移動可能な端子選択板３４の位置を変えるだけで、その露出窓３６から露出させる外部接続端子（ＵＳＢ端子２４またはＨＤＭＩ端子２５）を変更することができるので、複雑な操作を必要とすることなく、使用可能とする外部接続端子を選択することができる。
【００３５】
さらに、実施例１のデジタルカメラ１０では、端子接続口３２にＵＳＢ端子２４およびＨＤＭＩ端子２５を設けるとともに、その端子接続口３２の裏側（外カバー３１の裏面３１ａ）に各外部接続端子の並列方向に移動可能に、露出窓３６を有する端子選択板３４を設ける構成であることから、簡易な構成でいずれか１つの外部接続端子のみを露出させることができる。
【００３６】
実施例１のデジタルカメラ１０では、端子選択板３４の露出窓３６からＵＳＢ端子２４とＨＤＭＩ端子２５とのいずれか一方を露出させるとともに、他方を端子選択板３４（その露出窓３６以外の箇所）で隠すものであることから、ＵＳＢ端子２４およびＨＤＭＩ端子２５やその周囲の形状と、それらに差し込まれる各差込接続端子（図示せず）やその周囲の形状と、を対応させる必要がないので、汎用性を損なうことを防止することができる。
【００３７】
実施例１のデジタルカメラ１０では、ＵＳＢ端子２４またはＨＤＭＩ端子２５のうちのいずれか一方を露出窓３６から露出させると、併せて露出させた端子を表す標示部３７（標示部３７ａまたは標示部３７ｂ）を端子接続口３２の内方で露出させることから、露出窓３６から露出している外部接続端子の把握を容易なものとすることができ、誤差込をより確実に防止することができる。
【００３８】
実施例１のデジタルカメラ１０では、露出窓３６から露出させたいずれか１つの外部接続端子（ＵＳＢ端子２４またはＨＤＭＩ端子２５）に対応する標示部３７（実施例１では、標示部３７ａまたは標示部３７ｂ）のみを端子接続口３２の内方に露出させることから、使用者は端子接続口３２内における単一の標示部３７に基づいて露出窓３６から露出された単一の外部接続端子がいずれの規格に対応しているものであるのかを把握するだけでよいので、誤差込をより確実に防止することができる。
【００３９】
実施例１のデジタルカメラ１０では、露出窓３６から露出している外部接続端子（ＵＳＢ端子２４またはＨＤＭＩ端子２５）の情報を示す標示部３７が、ＵＳＢ端子２４に対応する標示部３７ａが名称（ＵＳＢの文字列）とされているとともに、ＨＤＭＩ端子２５に対応する標示部３７ｂが名称（ＨＤＭＩの文字列）とされていることから、露出窓３６から露出している外部接続端子の把握をより容易なものとすることができる。
【００４０】
実施例１のデジタルカメラ１０では、一対のガイド部３８の上端部３８ａと下端部３８ｂとにより位置決め機構を形成しているので、簡単な構成とすることができる。
【００４１】
したがって、実施例１のデジタルカメラ１０では、汎用性を損なうことなく外部接続端子（ＵＳＢ端子２４またはＨＤＭＩ端子２５）への誤差込を防止することができる。
【００４２】
なお、上記した実施例１では、一対のガイド部３８の上端部３８ａと下端部３８ｂとが外カバー３１の裏面３１ａからの間隔が狭められて位置決め機構が構成されていたが、露出窓３６からＵＳＢ端子２４を露出させた状態もしくは露出窓３６からＨＤＭＩ端子２５を露出させた状態で端子選択板３４を解除可能に固定することができるものであればよく、上記した実施例１に限定されるものではない。
【実施例２】
【００４３】
次に、実施例２の撮像装置としてのデジタルカメラ１０Ｂについて、図９から図１１を用いて説明する。この実施例２は、デジタルカメラ１０Ｂにおける端子選択板３４Ｂを移動させる構成が上記した実施例１のデジタルカメラ１０とは異なる例である。この実施例２のデジタルカメラ１０Ｂは、基本的な構成は上記した実施例１のデジタルカメラ１０と同様であることから、等しい構成の個所には同じ符号を付し、その詳細な説明は省略する。図９は、デジタルカメラ１０Ｂにおける特徴部分を説明するための図７と同様の説明図であり、（ａ）はＵＳＢ端子２４が露出された様子を示し、（ｂ）はＨＤＭＩ端子２５が露出された様子を示し、（ｃ）は（ａ）における端子選択板３４Ｂ、ガイド部３８Ｂ、弾性部材４１およびカム機構４２を抜き出して示している。図１０は、デジタルカメラ１０Ｂにおけるカム機構４２の作用を説明するための説明図である。図１１は、デジタルカメラ１０Ｂの端子接続口３２内においてＵＳＢ端子２４とＨＤＭＩ端子２５とのいずれか一方が選択的に露出される様子を示す図４と同様の説明図であり、（ａ）はＵＳＢ端子２４が露出された様子を示し、（ｂ）はＨＤＭＩ端子２５が露出された様子を示す。
【００４４】
実施例２のデジタルカメラ１０Ｂでは、図９に示すように、外カバー３１の裏面３１ａに、一対のガイド部３８Ｂに加えて、弾性部材４１とカム機構４２とが設けられている。また、実施例２のデジタルカメラ１０Ｂでは、弾性部材４１およびカム機構４２を設けるために、背面側（図９を正面視して右手前側）のガイド部３８Ｂが、上下方向で見た中間位置で切り欠かれており、上側部と下側部とに分割されている。
【００４５】
弾性部材４１は、端子選択板３４Ｂに、ＵＳＢ端子２４とＨＤＭＩ端子２５とが並列された方向の一方側へ向けて移動させる力（以下、移動力ともいう）を付与するものである。弾性部材４１は、実施例２では、螺旋状とされた線材により構成され、無負荷状態において最も縮むとともに、一端４１ａと他端４１ｂとを引き離す動作に抗する弾性力を発揮する引張コイルスプリングとされている。この弾性部材４１は、一端４１ａが固定ピン４３を介して端子選択板３４Ｂの前後方向の背面側の側面（図９を正面視して右手前側の面）に固定されるとともに、他端４１ｂが固定ピン４３を介して上下方向で見て一端４１ａよりも下側において前後方向の背面側のガイド部３８Ｂであって分割された下側部に固定されている。このため、弾性部材４１は、ガイド部３８Ｂ（外カバー３１）に対して下側への移動力を端子選択板３４Ｂに付与する。
【００４６】
カム機構４２は、ガイド部３８Ｂに設けられたカムピン部４４と、そのカムピン部４４を案内するカム溝部４５と、を有する。カムピン部４４は、前後方向の背面側（図３を正面視して右手前側）のガイド部３８Ｂであって分割された上側部に取り付けられた一端部４４ａと、そこから前後方向に直交する面に沿って伸びる架渡部４４ｂと、その先端に設けられた他端部４４ｃと、を有する。一端部４４ａは、前後方向を回転軸線として回転可能にガイド部３８Ｂ（その上側部）に取り付けられている。架渡部４４ｂは、前後方向に直交する面に沿う板状を呈し、ガイド部３８Ｂに取り付けられた一端部４４ａを基点として、他端部４４ｃを前後方向の前方へ向けてカム溝部４５（その後述する環状溝４５ｂ）に押し当てる。その他端部４４ｃは、架渡部４４ｂから前面側（図９を正面視して左奥側）へと突出されており、カム溝部４５の後述する環状溝４５ｂに挿入されている。
【００４７】
そのカム溝部４５は、基部４５ａの前後方向での背面側の面に環状溝４５ｂが設けられて形成されている。カム溝部４５は、基部４５ａが分割されたガイド部３８Ｂにおける中間位置（上側部と下側部との間）で端子選択板３４Ｂの前後方向の背面側の側面（図９を正面視して右手前側の面）に設けられている。その環状溝４５ｂは、カムピン部４４の他端部４４ｃを受け入れることが可能であるとともに、その受け入れた他端部４４ｃとの干渉が可能とされている。環状溝４５ｂは、図１０に示すように、全体に環状を呈し、上下方向の上側から他端部４４ｃに当たることが可能な２つの停留部４５ｃおよび停留部４５ｄと、それらの間で上下方向の下側へと突出する２つの折返部４５ｅおよび折返部４５ｆと、を有する。すなわち、停留部４５ｃおよび停留部４５ｄは、環状溝４５ｂで受け入れた他端部４４ｃに対して、上下方向の上側の壁面が形成されている。
【００４８】
カム溝部４５は、カムピン部４４の一端部４４ａとの上下方向で見た間隔が変化すると、その一端部４４ａを回転中心として架渡部４４ｂが回転することにより、他端部４４ｃを所定の方向へと案内する（図９参照）。詳細には、カム溝部４５の環状溝４５ｂは、他端部４４ｃを上下方向の上側の停留部４５ｃの位置で受け入れた状態から、カムピン部４４の一端部４４ａとの上下方向で見た間隔が狭まると、他端部４４ｃを矢印Ａ１１、矢印Ａ１２に沿って案内して、折返部４５ｅの位置へと導く。その後、カム溝部４５の環状溝４５ｂは、カムピン部４４の一端部４４ａとの上下方向で見た間隔が拡がると、他端部４４ｃを矢印Ａ１３に沿って案内して、上下方向の下側の停留部４５ｄの位置へと導く。その後、カム溝部４５の環状溝４５ｂは、カムピン部４４の一端部４４ａとの上下方向で見た間隔が狭まると、他端部４４ｃを矢印Ａ１４に沿って案内して、折返部４５ｆの位置へと導く。その後、カム溝部４５の環状溝４５ｂは、カムピン部４４の一端部４４ａとの上下方向で見た間隔が拡がると、他端部４４ｃを矢印Ａ１５に沿って案内して、上下方向の上側の停留部４５ｃの位置へと導く。ここで、明確な図示は略すが、環状溝４５ｂでは、上述した各矢印（Ａ１１、Ａ１２、Ａ１３、Ａ１４、Ａ１５）の順での他端部４４ｃの案内をより確実なものとするために、底面（前後方向で見て前側となる壁面）に、適宜段差を設ける構成としてもよい。このため、カム機構４２において、カム溝部４５の環状溝４５ｂが案内溝として機能し、カムピン部４４の他端部４４ｃが案内突起として機能する。また、端子選択板３４Ｂは、カム機構４２における、一端部４４ａがガイド部３８Ｂに固定されたカムピン部４４の他端部４４ｃと、カム溝部４５の環状溝４５ｂとの干渉により、一対のガイド部３８Ｂ（外カバー３１）に対する上下方向への移動範囲が規定される。
【００４９】
このカムピン部４４とカム溝部４５とは、環状溝４５ｂの上側の停留部４５ｃでカムピン部４４の他端部４４ｃを受け入れて、端子選択板３４Ｂを移動可能とされた範囲の下限位置（カム溝部４５とカムピン部４４の一端部４４ａとの上下方向での間隔が最も大きくなる）とすると（図９（ａ）参照）、端子選択板３４Ｂが露出窓３６からＵＳＢ端子２４を露出させかつその上方に標示部３７ａを配した状態とする位置関係とされている（図１１（ａ）参照）。また、カムピン部４４とカム溝部４５とは、環状溝４５ｂの下側の停留部４５ｄでカムピン部４４の他端部４４ｃを受け入れると（図９（ｂ）参照）、端子選択板３４Ｂが露出窓３６からＨＤＭＩ端子２５を露出させかつその下方に標示部３７ｂを配した状態とする位置関係とされている（図１１（ｂ）参照）。さらに、カムピン部４４とカム溝部４５とは、端子選択板３４Ｂが移動可能とされた範囲の上限位置（カム溝部４５とカムピン部４４の一端部４４ａとの上下方向での間隔が最も小さくなる）とされると、環状溝４５ｂの折返部４５ｅもしくは折返部４５ｆでカムピン部４４の他端部４４ｃを受け入れる位置関係とされている。このため、実施例２のデジタルカメラ１０では、端子選択板３４Ｂは、露出窓３６とＨＤＭＩ端子２５とを左右方向で対向させた（露出させた）状態から、端子接続口３２（外カバー３１）に対してさらに上方向へと移動させることが可能とされている（図９（ｂ）参照）。
【００５０】
そのカム溝部４５が設けられた端子選択板３４Ｂには、表面３４ａに操作突起３４ｂ（図１１参照）が設けられている。操作突起３４ｂは、図１１に示すように、端子選択板３４Ｂの表面３４ａから右側（図１１を正面視して手前右側）へ向けて突出されている。この操作突起３４ｂは、図示は略すが、端子蓋３３を閉じて端子接続口３２を遮蔽した状態（図３（ａ）参照）において、その端子蓋３３と干渉しない大きさ寸法とされている。また、操作突起３４ｂは、端子選択板３４Ｂが移動可能な範囲のいずれの位置とされていても、端子接続口３２内に存在する位置関係とされている（図１１参照）。
【００５１】
この端子選択板３４Ｂは、移動可能とされた範囲の下限位置に存在すると（図９（ａ）参照）、端子接続口３２において、露出窓３６からＵＳＢ端子２４を露出させるとともに、その上方に標示部３７ａを配する（図９（ａ）および図１１（ａ）参照）。このとき、カム溝部４５では、カムピン部４４の他端部４４ｃを、環状溝４５ｂにおける上下方向の上側の停留部４５ｃ（図１０参照）の位置で受け入れた状態とされている。
【００５２】
その状態から端子接続口３２内において操作突起３４ｂを弾性部材４１に抗して上下方向の上側へと移動させると（図１１（ａ）の矢印Ａ１６参照）、端子選択板３４Ｂが端子接続口３２（外カバー３１）に対して上方向へと移動する。すると、端子選択板３４Ｂ（その側面）に設けられたカム溝部４５と、カムピン部４４の一端部４４ａとの上下方向で見た間隔が狭まるので、カムピン部４４の他端部４４ｃがカム溝部４５の環状溝４５ｂの折返部４５ｅの位置へと導かれる（図１０の矢印Ａ１１、Ａ１２参照）。このため、他端部４４ｃと折返部４５ｅとが上下方向で当たり、操作突起３４ｂすなわち端子選択板３４Ｂを上下方向の上側へと移動させることができなくなる。この他端部４４ｃを停留部４５ｃから折返部４５ｅへと変位させる操作突起３４ｂの上下方向の上側への移動量を第１所定量とする。
【００５３】
この状態において、操作突起３４ｂを上側へと移動させることをやめると、弾性部材４１からの移動力により、端子選択板３４Ｂが端子接続口３２（外カバー３１）に対して下方向へと移動する。すると、端子選択板３４Ｂ（その側面）に設けられたカム溝部４５と、カムピン部４４の一端部４４ａとの上下方向で見た間隔が拡がるので、カムピン部４４の他端部４４ｃがカム溝部４５の環状溝４５ｂの上下方向の下側の停留部４５ｄの位置へと導かれる（図１０の矢印Ａ１３参照）。すると、上述したように、端子選択板３４Ｂは、端子接続口３２において、露出窓３６からＨＤＭＩ端子２５を露出させるとともに、その下方に標示部３７ｂを配する（図１１（ｂ）参照）。このとき、操作突起３４ｂすなわち端子選択板３４Ｂでは、外方から何らの力を受けない場合に弾性部材４１からの移動力により上下方向の上側へと移動することが防止されているとともに、他端部４４ｃと停留部４５ｄとが上下方向で当たることで弾性部材４１からの移動力に抗して上下方向の下側へと移動することが防止される（図９（ｂ）参照）。
【００５４】
その状態から端子接続口３２内において操作突起３４ｂを弾性部材４１に抗して上下方向の上側へと移動させると（図１１（ｂ）の矢印Ａ１７参照）、端子選択板３４Ｂが端子接続口３２（外カバー３１）に対して上方向へと移動する。すると、端子選択板３４Ｂ（その側面）に設けられたカム溝部４５と、カムピン部４４の一端部４４ａとの上下方向で見た間隔が狭まるので、カムピン部４４の他端部４４ｃがカム溝部４５の環状溝４５ｂの折返部４５ｆの位置へと導かれる（図１０の矢印Ａ１４参照）。このため、他端部４４ｃと折返部４５ｆとが上下方向で当たり、操作突起３４ｂすなわち端子選択板３４Ｂを上下方向の上側へと移動させることができなくなる。この他端部４４ｃを停留部４５ｄから折返部４５ｆへと変位させる操作突起３４ｂの上下方向の上側への移動量を第２所定量とする。
【００５５】
この状態において、操作突起３４ｂを上側へと移動させることをやめると、弾性部材４１からの移動力により、端子選択板３４Ｂが端子接続口３２（外カバー３１）に対して下方向へと移動する。すると、端子選択板３４Ｂ（その側面）に設けられたカム溝部４５と、カムピン部４４の一端部４４ａとの上下方向で見た間隔が拡がるので、カムピン部４４の他端部４４ｃがカム溝部４５の環状溝４５ｂの上下方向の上側の停留部４５ｃの位置へと導かれる（図１０の矢印Ａ１５参照）。すると、上述したように、端子選択板３４Ｂは、端子接続口３２において、露出窓３６からＵＳＢ端子２４を露出させるとともに、その上方に標示部３７ａを配する（図１１（ａ）参照）。このとき、操作突起３４ｂすなわち端子選択板３４Ｂでは、外方から何らの力を受けない場合に弾性部材４１からの移動力により上下方向の上側へと移動することが防止されているとともに、他端部４４ｃと停留部４５ｃとが上下方向で当たることで弾性部材４１からの移動力に抗して上下方向の下側へと移動することが防止される。このことから、実施例２では、弾性部材４１とカム溝部４５とが、端子選択部材（端子選択板３４Ｂ）を解除可能に固定する位置決め機構として機能する。これに伴い、実施例２の両ガイド部３８では、上端部３８ａと下端部３８ｂとの間隔が、他の箇所と同様とされている。また、外カバー３１の裏面３１ａには、両規制部３９（図６等参照）が設けられていない。
【００５６】
このような構成であることから、デジタルカメラ１０Ｂでは、端子蓋３３を開けた状態において、端子選択板３４Ｂを移動可能とされた範囲の下限位置に存在させることにより（図９（ａ）参照）、端子接続口３２において、露出窓３６からＵＳＢ端子２４を露出させるとともに、その上方に標示部３７ａを配した状態で固定することができる（図１１（ａ）参照）。また、デジタルカメラ１０Ｂでは、その状態から操作突起３４ｂを上下方向の上側へと第１所定量だけ移動して（図１１（ａ）矢印Ａ１６参照）、その操作突起３４ｂへの操作を止めることにより、端子接続口３２において、露出窓３６からＨＤＭＩ端子２５を露出させるとともに、その下方に標示部３７ｂを配した状態で固定することができる（図９（ｂ）および図１１（ｂ）参照）。このとき、使用者は、他端部４４ｃが折返部４５ｅに当たることで、操作突起３４ｂが上側への第１所定量に到達したことを把握することができる。さらに、デジタルカメラ１０Ｂでは、その状態から操作突起３４ｂを上下方向の上側へと第２所定量だけ移動して（図１１（ｂ）矢印Ａ１７参照）、その操作突起３４ｂへの操作を止めると、端子選択板３４Ｂは、端子接続口３２において、露出窓３６からＵＳＢ端子２４を露出させるとともに、その上方に標示部３７ａを配した状態で固定することができる（図９（ａ）および図１１（ａ）参照）。このとき、使用者は、他端部４４ｃが折返部４５ｆに当たることで、操作突起３４ｂが上側への第２所定量に到達したことを把握することができる。
【００５７】
実施例２のデジタルカメラ１０Ｂでは、基本的に実施例１のデジタルカメラ１０と同様の構成であることから、基本的に実施例１と同様の効果を得ることができる。
【００５８】
それに加えて、実施例２のデジタルカメラ１０Ｂでは、端子接続口３２において露出窓３６からＵＳＢ端子２４を露出させかつその露出窓３６の上方に標示部３７ａを配した状態から、操作突起３４ｂを上下方向の上側へと移動させることで、端子接続口３２において露出窓３６からＨＤＭＩ端子２５を露出させかつその露出窓３６の下方に標示部３７ｂを配した状態とすることができるので、端子接続口３２において露出する端子を容易に切り替えることができる。
【００５９】
また、実施例２のデジタルカメラ１０Ｂでは、端子接続口３２において露出窓３６からＨＤＭＩ端子２５を露出させかつその露出窓３６の下方に標示部３７ｂを配した状態から、操作突起３４ｂを上下方向の上側へと移動させることで、端子接続口３２において露出窓３６からＵＳＢ端子２４を露出させかつその露出窓３６の上方に標示部３７ａを配した状態とすることができるので、端子接続口３２において露出する端子を容易に切り替えることができる。
【００６０】
さらに、実施例２のデジタルカメラ１０Ｂでは、操作突起３４ｂによる切り替えに要する第１所定量よりも第２所定量が小さいものであることから、露出窓３６から露出させる端子をＵＳＢ端子２４からＨＤＭＩ端子２５へと切り替えることに比して、ＨＤＭＩ端子２５からＵＳＢ端子２４へと切り替えることを容易なものとすることができる。このことは、ＵＳＢ端子２４の使用頻度が高い使用者への使い勝手を向上させることができる。なお、実施例２において、ＵＳＢ端子２４を優先的な配置としたのは、現在の電子周辺機器の普及状況下では、一般的にはＨＤＭＩ端子２５よりもＵＳＢ端子２４の使用頻度の方が高いことが考えられることに基づくものであり、ＨＤＭＩ端子２５を優先的な配置としても良いことは言うまでもない。
【００６１】
実施例２のデジタルカメラ１０Ｂでは、弾性部材４１とカム溝部４５とにより位置決め機構を形成しているので、簡単な構成とすることができる。
【００６２】
したがって、実施例２のデジタルカメラ１０Ｂでは、汎用性を損なうことなく外部接続端子（ＵＳＢ端子２４またはＨＤＭＩ端子２５）への誤差込を防止することができる。
【００６３】
なお、実施例２では、カム機構４２のカム溝部４５（環状溝４５ｂ）が上述した構成とされていたが、複数の外部接続端子（実施例２ではＵＳＢ端子２４およびＨＤＭＩ端子２５）の並列方向（上下方向）で案内溝（カム溝部４５の環状溝４５ｂ）と案内突起（カムピン部４４の他端部４４ｃ）とを干渉させることで、弾性部材４１からの移動力に抗してその並列方向の複数の位置で端子選択部材（端子選択板３４Ｂ）を固定するものであればよく、上記した実施例２に限定されるものではない。
【実施例３】
【００６４】
次に、実施例３の撮像装置としてのデジタルカメラ１０Ｃについて、図１２から図１４を用いて説明する。この実施例３は、デジタルカメラ１０Ｃにおける端子選択板３４Ｃを移動させる構成が上記した実施例１のデジタルカメラ１０および実施例２のデジタルカメラ１０Ｂとは異なる例である。この実施例３のデジタルカメラ１０Ｃは、基本的な構成は上記した実施例１のデジタルカメラ１０と同様であることから、等しい構成の個所には同じ符号を付し、その詳細な説明は省略する。図１２は、デジタルカメラ１０Ｃにおける特徴部分を説明するための図７および図９と同様の説明図であり、（ａ）はＵＳＢ端子２４が露出された様子を示し、（ｂ）はＨＤＭＩ端子２５が露出された様子を示し、（ｃ）は（ｂ）における端子選択板３４Ｃ、ガイド部３８Ｃ、変換機構４６および駆動機構４７を抜き出して示している。図１３は、デジタルカメラ１０Ｃにおける制御ブロックを示す図２と同様の説明図である。図１４は、デジタルカメラ１０Ｃにおける表示部１８に選択画面５２および状態表示部５３が表示されている様子と、端子接続口３２内においてＵＳＢ端子２４とＨＤＭＩ端子２５とのいずれか一方が選択的に露出される様子と、を示す図４と同様の説明図であり、（ａ）はＵＳＢ端子２４が露出された様子（状態）を示し、（ｂ）はＨＤＭＩ端子２５が露出された様子（状態）を示す。
【００６５】
実施例３のデジタルカメラ１０Ｃでは、図１２に示すように、外カバー３１の裏面３１ａに、一対のガイド部３８Ｃに加えて、変換機構４６と駆動機構４７とが設けられている。また、実施例３のデジタルカメラ１０Ｃでは、変換機構４６および駆動機構４７を設けるために、実施例２と同様に、背面側（図１２を正面視して右手前側）のガイド部３８Ｃが、上下方向で見た中間位置で切り欠かれており、上側部と下側部とに分割されている。
【００６６】
変換機構４６は、駆動機構４７の駆動力を、端子選択板３４ＣをＵＳＢ端子２４とＨＤＭＩ端子２５とが並列された方向を移動させる力に変換するものである。この変換機構４６は、歯車部材４８と、そこに噛み合うことが可能とされて端子選択板３４Ｃに設けられたギヤ歯４９と、を有する。歯車部材４８は、円板部材の外周面にギヤ歯が設けられて形成されており、中心に回転軸４８ａが設けられている。この歯車部材４８は、回転軸４８ａが外カバー３１の裏面３１ａに左右方向に伸びつつ回転可能に取り付けられる。歯車部材４８は、実施例２では、外周方向で見て、大略３／４周となる大きさ寸法で切り欠かれており、その切り欠きにより両端面４８ｂ、４８ｃが形成されている。この歯車部材４８（外周面のギヤ歯）は、端子選択板３４Ｃのギヤ歯４９と噛み合わされている。
【００６７】
そのギヤ歯４９は、分割されたガイド部３８Ｃにおける中間位置で、端子選択板３４Ｃの前後方向の背面側（図１２を正面視して右手前側の面）の側面に上下方向に伸びて設けられている。また、端子選択板３４Ｃでは、ギヤ歯４９の上下方向の両端部に、一対の規制突起５１が設けられている。この両規制突起５１は、端子選択板３４Ｃの上述した側面から前後方向の背面側へと突出して形成されており、歯車部材４８の端面４８ｂもしくは端面４８ｃと前後方向で干渉することが可能とされている。その歯車部材４８は、駆動機構４７からの駆動力を受けることで回転駆動される。
【００６８】
その駆動機構４７は、電力の供給により制御部２１の制御下で駆動されるものであり、実施例３では、駆動モータで構成され、明確な図示は略すがその出力軸が歯車部材４８の回転軸４８ａと連結されている。この駆動機構４７は、図１３に示すように、制御部２１の制御下で適宜駆動されることにより、歯車部材４８を回転軸４８ａ回りに適宜回転させて、そこに噛み合わされたギヤ歯４９を介して端子選択板３４Ｃを上下方向に移動させる（図１２参照）。
【００６９】
この端子選択板３４Ｃにおけるギヤ歯４９および両規制突起５１と、歯車部材４８と、は、以下のような位置関係とされている。歯車部材４８の端面４８ｂが上下方向の上側の規制突起５１と干渉すると、図１２（ａ）に示すように、端子選択板３４Ｃが露出窓３６からＵＳＢ端子２４を露出させかつその上方に標示部３７ａを配した状態とされる（図１２（ａ）および図１４（ａ）参照）。また、歯車部材４８の端面４８ｃが上下方向の下側の規制突起５１と干渉すると、図１２（ｂ）に示すように、端子選択板３４Ｃが露出窓３６からＨＤＭＩ端子２５を露出させかつその下方に標示部３７ｂを配した状態とされる（図１２（ｂ）および図１４（ｂ）参照）。このことから、実施例３では、駆動機構４７と、歯車部材４８と、端子選択板３４Ｃにおけるギヤ歯４９および両規制突起５１と、が、端子選択部材（端子選択板３４Ｃ）を解除可能に固定する位置決め機構として機能する。これに伴い、実施例３の両ガイド部３８では、上端部３８ａと下端部３８ｂとの間隔が、他の箇所と同様とされている。また、外カバー３１の裏面３１ａには、両規制部３９が設けられていない。
【００７０】
加えて、実施例３のデジタルカメラ１０Ｃでは、図１４に示すように、制御部２１の制御下で、表示部１８に選択画面５２と状態表示部５３とを表示させることが可能とされている。その選択画面５２は、デジタルカメラ１０Ｃに設けられた複数の外部接続端子のうちのいずれかを選択するために用いる表示である。選択画面５２は、実施例３では、接続端子と表記した選択事項表示５２ａと、ＵＳＢと表記した選択項目表示５２ｂと、ＨＤＭＩと表記した選択項目表示５２ｃと、いずれを選択するかを示す選択指示表示５２ｄと、を有する。制御部２１は、外部接続端子を選択する旨の操作が為されると、表示部１８に選択画面５２をさせ、操作スイッチ１７の操作に応じて選択指示表示５２ｄの表示位置で選択項目表示５２ｂあるいは選択項目表示５２ｃを支持させることにより、いずれかの外部接続端子（ＵＳＢ端子２４あるいはＨＤＭＩ端子２５）の選択を可能とする。制御部２１は、操作スイッチ１７への操作により、選択画面５２においていずれかの外部接続端子が選択されると、その選択に応じて駆動機構４７を駆動して端子選択板３４Ｃの位置を調整する。なお、選択画面５２は、使用者による複数の外部接続端子のうちのいずれかの選択を可能とするものであればよく、表記内容や操作スイッチ１７による選択方法等に関しては、実施例３に限定されるものではない。
【００７１】
状態表示部５３は、現在選択されている外部接続端子を示すものである。この状態表示部５３は、実施例３では、ＵＳＢ端子２４が選択されている場合にはＵＳＢの文字列を表記し（図１４（ａ）参照）、ＨＤＭＩ端子２５が選択されている場合にはＨＤＭＩの文字列を表記する（図１４（ｂ）参照）。状態表示部５３は、図示は略すが、表示部１８での表示が行われている際には常時表示させるものであってもよく、使用者の意図（操作スイッチ１７への操作等）に応じて適宜表示させるものであってもよい。なお、状態表示部５３は、現在選択されている外部接続端子がいずれであるかの認識を可能とするものであればよく、表記内容や表記形態等に関しては、実施例３に限定されるものではない。
【００７２】
さらに、実施例３では、制御部２１は、デジタルカメラ１０Ｃが停止されると、その次の起動時に、複数の外部接続端子のうち最も優先順位が高いものを、露出窓３６から露出させる構成としている。制御部２１は、実施例３では、デジタルカメラ１０Ｃが停止されると、その次の起動時に、駆動機構４７を駆動して端子選択板３４Ｃの位置を調整し、露出窓３６からＵＳＢ端子２４を露出させかつその上方に標示部３７ａを配した状態とする（図１４（ａ）参照）。なお、この最も優先順位が高いものの設定は、電子周辺機器の普及状況等から適宜設定すればよく、また、使用者に最も優先順位が高い外部接続端子を設定させる構成としてもよく、実施例３に限定されるものではない。また、デジタルカメラ１０Ｃを停止させる際に、駆動機構４７を駆動して端子選択板３４Ｃの位置を調整し、露出窓３６からＵＳＢ端子２４を露出させかつその上方に標示部３７ａを配した状態としてもよい。
【００７３】
このような構成であることから、デジタルカメラ１０Ｃでは、選択画面５２での表示に従う操作スイッチ１７での操作により、端子蓋３３を開けた状態における端子接続口３２において、露出窓３６からＵＳＢ端子２４を露出させるとともに、その上方に標示部３７ａを配した状態で固定することができる（図１４（ａ）参照）。また、デジタルカメラ１０Ｃでは、選択画面５２での表示に従う操作スイッチ１７での操作により、端子蓋３３を開けた状態における端子接続口３２において、露出窓３６からＨＤＭＩ端子２５を露出させるとともに、その下方に標示部３７ｂを配した状態で固定することができる（図１４（ｂ）参照）。
【００７４】
実施例３のデジタルカメラ１０Ｃでは、基本的に実施例１のデジタルカメラ１０と同様の構成であることから、基本的に実施例１と同様の効果を得ることができる。
【００７５】
それに加えて、実施例３のデジタルカメラ１０Ｃでは、選択画面５２での表示に従う操作スイッチ１７での操作により、ＵＳＢ端子２４もしくはＨＤＭＩ端子２５を露出窓３６から露出させることができるので、端子接続口３２において露出する端子を容易に切り替えることができる。
【００７６】
また、実施例３のデジタルカメラ１０Ｃでは、表示部１８の状態表示部５３により、端子接続口３２において選択された外部接続端子がいずれであるのかを認識することができるので、使い勝手をより向上させることができる。
【００７７】
さらに、実施例３のデジタルカメラ１０Ｃでは、起動されると、端子接続口３２では最も優先順位の高い外部接続端子（実施例３ではＵＳＢ端子２４）が選択されて露出窓３６から露出されていることから、優先順位の低い外部接続端子を利用するとき以外には何らの操作を必要とすることなく、端子蓋３３を開けるだけで最も優先順位の高い外部接続端子（実施例３ではＵＳＢ端子２４）を利用することができる。
【００７８】
実施例３のデジタルカメラ１０では、駆動機構４７と歯車部材４８と端子選択板３４Ｃにおけるギヤ歯４９および両規制突起５１とにより位置決め機構を形成しているので、自動で外部接続端子を選択する（制御部２１の制御下で端子選択板３４Ｃの位置を変更する）ことを可能としつつ簡単な構成とすることができる。
【００７９】
したがって、実施例３のデジタルカメラ１０Ｃでは、汎用性を損なうことなく外部接続端子（ＵＳＢ端子２４またはＨＤＭＩ端子２５）への誤差込を防止することができる。
【００８０】
なお、実施例３では、変換機構４６の歯車部材４８が上述した構成とされていたが、駆動機構４７により駆動されることで、端子選択部材（端子選択板３４Ｃ）を複数の外部接続端子（実施例２ではＵＳＢ端子２４およびＨＤＭＩ端子２５）の並列方向に移動させるものであればよく、上記した実施例３に限定されるものではない。
【００８１】
また、実施例３では、制御部２１が、デジタルカメラ１０Ｃの起動時に、複数の外部接続端子のうち最も優先順位が高いものを露出窓３６から露出させる構成としていたが、起動する際の直近において露出窓３６から露出させた外部接続端子を露出窓３６から露出させる構成（直近に選択された端子選択部材（端子選択板３４Ｃ）の位置を維持する）としてもよく、上記した実施例３に限定されるものではない。なお、実施例３のデジタルカメラ１０Ｃでは、駆動機構４７の制御を停止すると端子選択板３４Ｃの位置を維持することから、後者の構成とすると、簡易な制御としつつ電力消費を抑制することができる。
【実施例４】
【００８２】
次に、実施例４の撮像装置としてのデジタルカメラ１０Ｄについて、図１５を用いて説明する。この実施例４は、デジタルカメラ１０Ｄにおける端子選択板３４Ｄを移動させる構成が上記した実施例１のデジタルカメラ１０、実施例２のデジタルカメラ１０Ｂおよび実施例３のデジタルカメラ１０Ｃとは異なる例である。この実施例４のデジタルカメラ１０Ｄは、基本的な構成は上記した実施例１のデジタルカメラ１０と同様であることから、等しい構成の個所には同じ符号を付し、その詳細な説明は省略する。図１５は、デジタルカメラ１０Ｄにおける特徴部分を説明するための図７、図９および図１２と同様の説明図であり、（ａ）はＵＳＢ端子２４が露出された様子を示し、（ｂ）はＨＤＭＩ端子２５が露出された様子を示し、（ｃ）は（ａ）における端子選択板３４Ｄ、ガイド部３８Ｄ、弾性部材４１Ｄおよび駆動機構４７Ｄを抜き出して示している。
【００８３】
実施例４のデジタルカメラ１０Ｄでは、図１５に示すように、外カバー３１の裏面３１ａに、一対のガイド部３８Ｄに加えて、弾性部材４１Ｄと駆動機構４７Ｄとが設けられている。また、実施例４のデジタルカメラ１０Ｄでは、弾性部材４１Ｄおよび駆動機構４７Ｄを設けるために、実施例２と同様に、背面側（図１５を正面視して右手前側）のガイド部３８Ｄが、上下方向で見た中間位置で切り欠かれており、上側部と下側部とに分割されている。
【００８４】
弾性部材４１Ｄは、端子選択板３４Ｄに、ＵＳＢ端子２４とＨＤＭＩ端子２５とが並列された方向の一方側へ向けて移動させる力（以下、移動力ともいう）を付与するものである。弾性部材４１Ｄは、実施例４では、螺旋状とされた線材により構成され、無負荷状態において最も縮むとともに、一端４１ａと他端４１ｂとを引き離す動作に抗する弾性力を発揮する引張コイルスプリングとされている。この弾性部材４１Ｄは、一端４１ａが固定ピン４３Ｄを介して端子選択板３４Ｄの前後方向の背面側の側面（図１５を正面視して右手前側の面）に固定されるとともに、他端４１ｂが固定ピン４３Ｄを介して上下方向で見て一端４１ａよりも下側において前後方向の背面側のガイド部３８Ｄであって分割された下側部に固定されている。このため、弾性部材４１Ｄは、ガイド部３８Ｄ（外カバー３１）に対して下側への移動力を端子選択板３４Ｄに付与する。
【００８５】
駆動機構４７Ｄは、電力の供給により制御部２１の制御下で駆動されるものであり、実施例４では、通電されていないときに基準長さ（図１５（ａ）参照）とされるとともに、通電されると基準長さから収縮する（図１５（ｂ）参照）電子部品で構成されている。このような電子部品としては、形状記憶合金を利用したものや、圧電素子を利用したものが挙げられる。この駆動機構４７Ｄは、実施例３の駆動機構４７と同様に、制御部２１の制御下で適宜駆動される（図１３参照）。駆動機構４７Ｄは、図１５（ａ）に示すように、一端４７ａが前後方向の背面側（図１５を正面視して右手前側）のガイド部３８Ｄであって分割された上側部に取り付けられ、他端４７ｂが分割されたガイド部３８Ｄにおける中間位置（上側部と下側部との間）で端子選択板３４Ｄの前後方向の背面側の側面（図１５を正面視して右手前側の面）に取り付けられている。この駆動機構４７Ｄは、通電されていないと一端４７ａと他端４７ｂとを基準長さの間隔とし（図１５（ａ）参照）、通電されると弾性部材４１Ｄに抗して一端４７ａと他端４７ｂとを基準長さから収縮した間隔（図１５（ｂ）参照）とすることにより、端子選択板３４Ｄを上下方向の上側へと移動させる。駆動機構４７Ｄは、基準長さとされると、端子選択板３４Ｄを、露出窓３６からＵＳＢ端子２４を露出させかつその上方に標示部３７ａを配した状態とする。また、駆動機構４７Ｄは、図１５（ｂ）に示すように、制御部２１の制御下で弾性部材４１Ｄに抗して基準長さから収縮されると、端子選択板３４Ｄを、露出窓３６からＨＤＭＩ端子２５を露出させかつその下方に標示部３７ｂを配した状態とする。このことから、実施例４では、駆動機構４７Ｄと弾性部材４１Ｄと、が、外カバー３１の裏面３１ａの両規制部３９と協働して、端子選択部材（端子選択板３４Ｄ）を解除可能に固定する位置決め機構として機能する。これに伴い、実施例４の両ガイド部３８Ｄでは、上端部３８ａと下端部３８ｂとの間隔が、他の箇所と同様とされている。
【００８６】
また、実施例４のデジタルカメラ１０Ｄでは、制御部２１の制御下で外部接続端子を選択することが可能であることから、実施例３と同様に、制御部２１が表示部１８に選択画面５２と状態表示部５３とを表示させるとともに、選択画面５２に従う操作スイッチ１７での操作による外部接続端子の選択を可能としている（図１４参照）。さらに、実施例４では、制御部２１は、実施例３と同様に、デジタルカメラ１０Ｄが停止されると、その次の起動時に、複数の外部接続端子のうち、最も優先順位が高いもの（ＵＳＢ端子２４）を露出窓３６から露出させるものとしている。
【００８７】
このような構成であることから、デジタルカメラ１０Ｄでは、選択画面５２（図１４参照）での表示に従う操作スイッチ１７での操作により、端子蓋３３を開けた状態の端子接続口３２において、露出窓３６からＵＳＢ端子２４を露出させるとともに、その上方に標示部３７ａを配した状態で固定することができる（図１５（ａ）参照）。また、デジタルカメラ１０Ｄでは、選択画面５２（図１４参照）での表示に従う操作スイッチ１７での操作により、端子蓋３３を開けた状態の端子接続口３２において、露出窓３６からＨＤＭＩ端子２５を露出させるとともに、その下方に標示部３７ｂを配した状態で固定することができる（図１５（ｂ）参照）。
【００８８】
実施例４のデジタルカメラ１０Ｄでは、基本的に実施例１のデジタルカメラ１０と同様の構成であることから、基本的に実施例１と同様の効果を得ることができる。
【００８９】
それに加えて、実施例４のデジタルカメラ１０Ｄでは、選択画面５２（図１４参照）での表示に従う操作スイッチ１７での操作により、ＵＳＢ端子２４もしくはＨＤＭＩ端子２５を露出窓３６から露出させることができるので、端子接続口３２において露出する端子を容易に切り替えることができる。
【００９０】
また、実施例４のデジタルカメラ１０Ｄでは、表示部１８の状態表示部５３（図１４参照）により、端子接続口３２において選択された外部接続端子がいずれであるのかを認識することができるので、使い勝手をより向上させることができる。
【００９１】
さらに、実施例４のデジタルカメラ１０Ｄでは、起動されると、端子接続口３２では最も優先順位の高い外部接続端子（実施例４ではＵＳＢ端子２４）が選択されていることから、優先順位の低い外部接続端子を利用するとき以外には何らの操作を必要とすることなく、端子蓋３３を開けるだけで最も優先順位の高い外部接続端子（実施例４ではＵＳＢ端子２４）を利用することができる。
【００９２】
実施例４のデジタルカメラ１０Ｄでは、駆動機構４７Ｄと弾性部材４１Ｄと外カバー３１の裏面３１ａとにより位置決め機構を形成しているので、自動で外部接続端子を選択する（制御部２１の制御下で端子選択板３４Ｄの位置を変更する）ことを可能としつつ簡単な構成とすることができる。
【００９３】
実施例４のデジタルカメラ１０Ｄでは、駆動機構４７Ｄに通電しているときのみに露出窓３６からＨＤＭＩ端子２５を露出させるものであるので、ＵＳＢ端子２４の使用頻度が高い使用者への使い勝手を向上させることができる。なお、実施例４において、ＵＳＢ端子２４を優先的な配置としたのは、現在の電子周辺機器の普及状況下では、一般的にはＨＤＭＩ端子２５よりもＵＳＢ端子２４の使用頻度の方が高いことが考えられることに基づくものであり、ＨＤＭＩ端子２５を優先的な配置としても良いことは言うまでもない。
【００９４】
したがって、実施例４のデジタルカメラ１０Ｄでは、汎用性を損なうことなく外部接続端子（ＵＳＢ端子２４またはＨＤＭＩ端子２５）への誤差込を防止することができる。
【００９５】
なお、実施例４では、位置決め機構として、駆動機構４７Ｄと弾性部材４１Ｄとに加えて、外カバー３１の裏面３１ａの両規制部３９を用いる構成としていたが、駆動機構４７Ｄにおける位置決めの性能（基準長さと、そこから収縮された際の長さ寸法の精度）が十分に得られれば、両規制部３９を用いる必要はなく、上記した実施例４に限定されるものではない。このような構成とする場合、駆動機構４７Ｄが、弾性部材４１Ｄからの移動力に抗して、外部接続端子（ＵＳＢ端子２４およびＨＤＭＩ端子２５）の並列方向の一方側（上下方向の下側）へと端子選択板３４Ｄが移動することを規制する規制部として機能する。
【００９６】
また、実施例４では、制御部２１（図１３参照）が、デジタルカメラ１０Ｄの起動時に、複数の外部接続端子のうち最も優先順位が高いものを露出窓３６から露出させる構成としていたが、起動する際の直近において露出窓３６から露出させた外部接続端子を露出窓３６から露出させる構成（直近に選択された端子選択部材（端子選択板３４Ｄ）を露出させる位置へと適宜移動する）としてもよく、上記した実施例４に限定されるものではない。なお、実施例４のデジタルカメラ１０Ｄでは、駆動機構４７Ｄの制御を停止すると、弾性部材４１Ｄからの移動力により端子選択板３４Ｄが上下方向の下側（並列方向の一方側）へと移動することから、前者の構成とすると、簡易な制御としつつ電力消費を抑制することができる。
【００９７】
さらに、実施例４では、通電されることにより収縮する駆動機構４７Ｄが用いられていたが、通電されることにより、弾性部材４１Ｄによる移動力に抗して端子選択部材（端子選択板３４Ｄ）を移動させて当該端子選択部材の位置を調整するものであればよく、上記した実施例４に限定されるものではない。
【実施例５】
【００９８】
次に、実施例５の撮像装置としてのデジタルカメラ１０Ｅについて、図１６から図１８を用いて説明する。この実施例５は、デジタルカメラ１０Ｅにおいて設けられる外部接続端子の個数および端子選択板３４Ｅの構成が上記した実施例１のデジタルカメラ１０、実施例２のデジタルカメラ１０Ｂ、実施例３のデジタルカメラ１０Ｃおよび実施例４のデジタルカメラ１０Ｄとは異なる例である。この実施例５のデジタルカメラ１０Ｅは、基本的な構成は上記した実施例１のデジタルカメラ１０と同様であることから、等しい構成の個所には同じ符号を付し、その詳細な説明は省略する。図１６は、デジタルカメラ１０Ｅにおける特徴部分であるＵＳＢ端子２４、ＨＤＭＩ端子２５およびＡＶ端子２６の設置構造を説明するために、それらが設けられた回路基板３５Ｅと端子選択板３４Ｅと外カバー３１Ｅ（端子蓋３３Ｅ）とを分解して示す図５と同様の説明図である。図１７は、デジタルカメラ１０Ｅにおける制御ブロックを示す図２および図１３と同様の説明図である。図１８は、デジタルカメラ１０Ｅにおける特徴部分を説明するための図４および図１１と同様の説明図であり、（ａ）はＵＳＢ端子２４が露出された様子を示し、（ｂ）はＨＤＭＩ端子２５が露出された様子を示し、（ｃ）はＡＶ端子２６が露出された様子を示す。
【００９９】
実施例５のデジタルカメラ１０Ｅでは、図１６に示すように、回路基板３５Ｅに、ＵＳＢ端子２４とＨＤＭＩ端子２５とに加えて、ＡＶ端子２６が実装されている。このＡＶ端子２６は、デジタルカメラ１０において、制御部２１の外部機器への接続を可能とする接続端子いわゆる外部接続端子（外部出力端子）として設けられている。ＡＶ端子２６は、図示は略すがＵＳＢ端子２４およびＨＤＭＩ端子２５とは異なる規格に応じた差込接続端子の接続を可能とするものであり、接続された差込接続端子を経て外部機器（その制御部）への制御部２１からの情報（画像データ等）の送信を可能とする（図１７参照）。
【０１００】
実施例５では、ＵＳＢ端子２４とＨＤＭＩ端子２５とＡＶ端子２６とは、上下方向に並列して回路基板３５Ｅに設けられており、ＵＳＢ端子２４が最も下側とされ、ＨＤＭＩ端子２５が中間位置とされ、ＡＶ端子２６が最も上側とされている。この回路基板３５Ｅは、実施例１の回路基板３５と同様に、図示は略すがコンデンサや抵抗等の電子部品が実装されており、制御部２１（図１７参照）を含む電子回路を構成し、ＵＳＢ端子２４、ＨＤＭＩ端子２５およびＡＶ端子２６と制御部２１とを電気的に接続している。その制御部２１は、図１７に示すように、ＵＳＢ端子２４、ＨＤＭＩ端子２５およびＡＶ端子２６と電気的に接続されており、それらに接続された差込接続端子（図示せず）を経て、外部機器（その制御部）と情報（画像データ等）を適宜遣り取りすることが可能とされている。その回路基板３５Ｅは、図示は略すが筐体１１の内方でその筐体１１に固定されている。
【０１０１】
この回路基板３５Ｅは、図１６に示すように、各端子が実装された面に化粧板５４が設けられており、その化粧板５４に標示部３７Ｅが設けられている。この標示部３７Ｅは、デジタルカメラ１０に設けられる複数の外部接続端子の情報の把握を容易とするものであり、実施例５では、ＵＳＢ端子２４の端子の名称としてのＵＳＢの文字列からなる標示部３７Ｅａと、ＨＤＭＩ端子２５の端子の名称としてのＨＤＭＩの文字列からなる標示部３７Ｅｂと、ＡＶ端子２６の端子の名称としてのＡＶ−ＯＵＴの文字列からなる標示部３７Ｅｃと、を有する。この標示部３７Ｅａは、ＵＳＢ端子２４が設けられた位置の前後方向の前側（図１６を正面視して右斜め上側）に、そのＵＳＢ端子２４と並列して設けられている。また、標示部３７Ｅｂは、ＨＤＭＩ端子２５が設けられた位置の前後方向の前側にそのＨＤＭＩ端子２５と並列して設けられ、標示部３７Ｅｃは、ＡＶ端子２６が設けられた位置の前後方向の前側にそのＨＤＭＩ端子２５と並列して設けられている。この回路基板３５Ｅは、外カバー３１Ｅに対して、上下方向に並列して実装されたＵＳＢ端子２４とＨＤＭＩ端子２５とＡＶ端子２６との３つを、外カバー３１Ｅの端子接続口３２Ｅに左右方向で対向させる位置関係、換言すると外カバー３１Ｅ（筐体１１）の右側から左右方向で端子接続口３２Ｅを見ると、その内方にＵＳＢ端子２４とＨＤＭＩ端子２５とＡＶ端子２６とが存在する（露出される）位置関係とされている。その外カバー３１Ｅの裏側に端子選択板３４Ｅが設けられる。
【０１０２】
その端子選択板３４Ｅは、平板状を呈し、外カバー３１Ｅの裏面３１ａ（図６等参照）に宛がうことが可能とされている。端子選択板３４Ｅは、端子接続口３２Ｅの開口寸法よりも大きな寸法とされており、外カバー３１Ｅの裏面３１ａに宛がわれた状態で、端子接続口３２Ｅを塞ぐことが可能とされている。また、端子選択板３４Ｅは、ＵＳＢ端子２４とＨＤＭＩ端子２５とＡＶ端子２６とが並列された上下方向で見ると、少なくとも端子接続口３２Ｅに対して後述する移動範囲分だけ大きな大きさ寸法、換言すると後述する移動範囲における位置に拘らず端子接続口３２Ｅを塞ぐことが可能な大きさ寸法とされている。
【０１０３】
端子選択板３４Ｅには、３つの端子が並列された上下方向で見た中央に露出窓３６Ｅが設けられている。この露出窓３６Ｅは、端子選択板３４Ｅを左右方向に貫通して形成されている。露出窓３６Ｅは、デジタルカメラ１０Ｅに設けられる複数の外部接続端子のうちの最も大きなものと、その前側に並列された標示部３７Ｅと、を同時に露出させることを可能とする大きさ寸法とされている。実施例５では、上述したようにデジタルカメラ１０ＥにＵＳＢ端子２４とＨＤＭＩ端子２５とＡＶ端子２６とが設けられており、僅かではあるが大きいＡＶ端子２６とそこに並列された標示部３７Ｅｃとの露出を可能とする大きさ寸法とされている（図１８（ｃ）参照）。この端子選択板３４Ｅは、実施例１と同様の一対のガイド部（図６等のガイド部３８参照）により、外カバー３１Ｅの裏側において、ＵＳＢ端子２４とＨＤＭＩ端子２５とＡＶ端子２６とが並列された上下方向に所定の移動範囲内で移動可能に設けられる。そのガイド部は、長さ寸法および対応する一対の規制部の上下方向での位置が異なることを除くと、実施例１のガイド部３８および両規制部３９と同様の構成であることから、その詳細な説明は省略する。
【０１０４】
端子選択板３４Ｅは、設定された移動範囲における最も下方の位置とされると、図１８（ａ）に示すように、ＵＳＢ端子２４およびそこに並列された標示部３７Ｅａに、露出窓３６Ｅを左右方向で対向させる大きさ寸法および位置関係とされている。この露出窓３６Ｅを左右方向でＵＳＢ端子２４および標示部３７Ｅａに対向させるとは、外カバー３１Ｅ（筐体１１）の右側から左右方向で端子接続口３２Ｅを経て露出窓３６Ｅを見ると（端子接続口３２Ｅおよび露出窓３６Ｅを正面視すると）、露出窓３６Ｅの内方にＵＳＢ端子２４および標示部３７Ｅａが存在する（露出される）位置関係とされていることを言う。このとき、ＨＤＭＩ端子２５および標示部３７Ｅｂと、ＡＶ端子２６および標示部３７Ｅｃと、は、露出窓３６Ｅの上側において端子選択板３４Ｅの裏側に隠れる大きさ寸法および位置関係とされている。
【０１０５】
また、端子選択板３４Ｅは、設定された移動範囲における上下方向で見た中央位置とされると、図１８（ｂ）に示すように、ＨＤＭＩ端子２５およびそこに並列された標示部３７Ｅｂに、露出窓３６Ｅを左右方向で対向させる大きさ寸法および位置関係とされている。この露出窓３６Ｅを左右方向でＨＤＭＩ端子２５および標示部３７Ｅｂに対向させるとは、外カバー３１Ｅ（筐体１１）の右側から左右方向で端子接続口３２Ｅを経て露出窓３６Ｅを見ると（端子接続口３２Ｅおよび露出窓３６Ｅを正面視すると）、露出窓３６Ｅの内方にＨＤＭＩ端子２５および標示部３７Ｅｂが存在する（露出される）位置関係とされていることを言う。このとき、ＵＳＢ端子２４および標示部３７Ｅａは露出窓３６Ｅの下側で、また、ＡＶ端子２６および標示部３７Ｅｃは露出窓３６Ｅの上側で、端子選択板３４Ｅの裏側に隠れる大きさ寸法および位置関係とされている。
【０１０６】
さらに、端子選択板３４Ｅは、設定された移動範囲における最も上方の位置とされると、図１８（ｃ）に示すように、ＡＶ端子２６およびそこに並列された標示部３７Ｅｃに、露出窓３６Ｅを左右方向で対向させる大きさ寸法および位置関係とされている。この露出窓３６Ｅを左右方向でＡＶ端子２６および標示部３７Ｅｃに対向させるとは、外カバー３１Ｅ（筐体１１）の右側から左右方向で端子接続口３２Ｅを経て露出窓３６Ｅを見ると（端子接続口３２Ｅおよび露出窓３６Ｅを正面視すると）、露出窓３６Ｅの内方にＡＶ端子２６および標示部３７Ｅｃが存在する（露出される）位置関係とされていることを言う。このとき、ＵＳＢ端子２４および標示部３７Ｅａと、ＨＤＭＩ端子２５および標示部３７Ｅｂと、は、露出窓３６Ｅの下側で端子選択板３４Ｅの裏側に隠れる大きさ寸法および位置関係とされている。
【０１０７】
加えて、端子選択板３４Ｅとそれを上下方向に移動可能とする一対のガイド部（図示せず）とには、図示は略すが、一方に他方へ向けて突出するとともに弾性的に突出量が変化する突起部と、他方にその突起部を受け入れることのできる３つの挿入部と、が設けられている。その突起部は、図示は略すが、圧縮バネを介して凹所に配置することにより、弾性的に突出量が変化するものとすることができる。各挿入部は、図示は略すが、端子選択板３４Ｅが露出窓３６ＥをＵＳＢ端子２４および標示部３７Ｅａに対向させる位置となると突起部を受け入れる位置と、端子選択板３４Ｅが露出窓３６ＥをＨＤＭＩ端子２５および標示部３７Ｅｂに対向させる位置となると突起部を受け入れる位置と、端子選択板３４Ｅが露出窓３６ＥをＡＶ端子２６および標示部３７Ｅｃに対向させる位置となると突起部を受け入れる位置と、に設けられている。
【０１０８】
このような構成であることから、デジタルカメラ１０Ｅでは、端子蓋３３Ｅを開けた状態において、端子選択板３４Ｅを移動可能とされた範囲の下限位置に存在させることにより、端子接続口３２Ｅにおいて、露出窓３６ＥからＵＳＢ端子２４および標示部３７Ｅａを露出させることができる（図１８（ａ）参照）。また、デジタルカメラ１０Ｅでは、端子蓋３３Ｅを開けた状態において、端子選択板３４Ｅを移動可能とされた範囲の中央位置に存在させることにより、端子接続口３２Ｅにおいて、露出窓３６ＥからＨＤＭＩ端子２５および標示部３７Ｅｂを露出させることができる（図１８（ｂ）参照）。さらに、デジタルカメラ１０Ｅでは、端子蓋３３Ｅを開けた状態において、端子選択板３４Ｅを移動可能とされた範囲の上限位置に存在させることにより、端子接続口３２Ｅにおいて、露出窓３６ＥからＡＶ端子２６および標示部３７Ｅｃを露出させることができる（図１８（ｃ）参照）。このため、端子選択板３４Ｅは、端子接続口３２Ｅにおいて露出させる端子を選択するための端子選択部材として機能する。このとき、デジタルカメラ１０Ｅでは、端子選択板３４Ｅと一対のガイド部（図示せず）とに突起部と３つの挿入部とが設けられていることから、露出窓３６ＥからＵＳＢ端子２４および標示部３７Ｅａを露出させた状態、または露出窓３６ＥからＨＤＭＩ端子２５および標示部３７Ｅｂを露出させた状態、または露出窓３６ＥからＡＶ端子２６および標示部３７Ｅｃを露出させた状態で、端子選択板３４Ｅを固定することができる。このことから、実施例５では、端子選択板３４Ｅおよび一対のガイド部（図示せず）の突起部と３つの挿入部とが、端子選択部材（端子選択板３４Ｅ）を解除可能に固定する位置決め機構として機能する。
【０１０９】
実施例５のデジタルカメラ１０Ｅでは、端子接続口３２Ｅに設けられた複数の外部接続端子すなわちＵＳＢ端子２４とＨＤＭＩ端子２５とＡＶ端子２６とにおいて、端子選択板３４Ｅの露出窓３６Ｅからいずれか一つのみを露出させることができ、かつその状態においてその他の２つを端子選択板３４Ｅで隠すことができるので、誤差込を防止することができる。
【０１１０】
また、実施例５のデジタルカメラ１０Ｅでは、移動可能な端子選択板３４Ｅの位置を変えるだけで、その露出窓３６Ｅから露出させる外部接続端子（ＵＳＢ端子２４、ＨＤＭＩ端子２５またはＡＶ端子２６）を変更することができるので、複雑な操作を必要とすることなく、使用可能とする外部接続端子を選択することができる。
【０１１１】
さらに、実施例５のデジタルカメラ１０Ｅでは、端子接続口３２ＥにＵＳＢ端子２４、ＨＤＭＩ端子２５およびＡＶ端子２６を設けるとともに、その端子接続口３２Ｅの裏側（外カバー３１Ｅの裏面３１ａ）に各外部接続端子の並列方向に移動可能に露出窓３６Ｅを有する端子選択板３４Ｅを設ける構成であることから、簡易な構成でいずれか１つの外部接続端子のみを露出させることができる。
【０１１２】
実施例５のデジタルカメラ１０Ｅでは、端子選択板３４Ｅの露出窓３６ＥからＵＳＢ端子２４とＨＤＭＩ端子２５とＡＶ端子２６とのいずれか一つを露出させるとともに、他の２つを端子選択板３４Ｅ（その露出窓３６Ｅ以外の箇所）で隠すものであることから、ＵＳＢ端子２４、ＨＤＭＩ端子２５およびＡＶ端子２６やその周囲の形状と、それらに差し込まれる各差込接続端子（図示せず）やその周囲の形状と、を対応させる必要がないので、汎用性を損なうことを防止することができる。
【０１１３】
実施例５のデジタルカメラ１０Ｅでは、ＵＳＢ端子２４、ＨＤＭＩ端子２５またはＡＶ端子２６のうちのいずれか一つを露出窓３６Ｅから露出させると、併せて露出させた端子を表す標示部３７Ｅ（標示部３７Ｅａ、標示部３７Ｅｂまたは標示部３７Ｅｃ）を端子接続口３２Ｅの内方で露出窓３６Ｅから露出させることから、その露出窓３６Ｅから露出している外部接続端子の把握を容易なものとすることができ、誤差込をより確実に防止することができる。
【０１１４】
実施例５のデジタルカメラ１０Ｅでは、露出窓３６Ｅから露出させたいずれか１つの外部接続端子（ＵＳＢ端子２４、ＨＤＭＩ端子２５またはＡＶ端子２６）に対応する標示部３７Ｅ（実施例５では、標示部３７Ｅａ、標示部３７Ｅｂまたは標示部３７Ｅｃ）のみを端子接続口３２Ｅ（露出窓３６Ｅ）の内方に露出させることから、使用者は端子接続口３２Ｅ（露出窓３６Ｅ）内における単一の標示部３７Ｅに基づいて露出窓３６Ｅから露出された単一の外部接続端子がいずれの規格に対応しているものであるのかを把握するだけでよいので、誤差込をより確実に防止することができる。
【０１１５】
実施例５のデジタルカメラ１０Ｅでは、露出窓３６Ｅから露出している外部接続端子（ＵＳＢ端子２４、ＨＤＭＩ端子２５またはＡＶ端子２６）の情報を示す標示部３７Ｅが、ＵＳＢ端子２４に対応する標示部３７Ｅａが名称（ＵＳＢの文字列）とされ、標示部３７Ｅｂが名称（ＨＤＭＩの文字列）とされ、標示部３７Ｅｃが名称（ＡＶ−ＯＵＴの文字列）とされていることから、露出窓３６Ｅから露出している外部接続端子の把握をより容易なものとすることができる。
【０１１６】
実施例５のデジタルカメラ１０Ｅでは、端子選択板３４Ｅおよび一対のガイド部（図示せず）の突起部と３つの挿入部とにより位置決め機構を形成しているので、簡単な構成とすることができる。
【０１１７】
したがって、実施例５のデジタルカメラ１０Ｅでは、汎用性を損なうことなく外部接続端子（ＵＳＢ端子２４、ＨＤＭＩ端子２５またはＡＶ端子２６）への誤差込を防止することができる。
【０１１８】
なお、実施例５では、位置決め機構として、端子選択板３４Ｅおよび一対のガイド部（図示せず）の突起部と３つの挿入部とを設けていたが、複数の外部接続端子（ＵＳＢ端子２４、ＨＤＭＩ端子２５またはＡＶ端子２６）の並列方向の複数の位置で端子選択部材（端子選択板３４Ｅ）を解除可能に固定するものであれば、弾性部材４１およびカム機構４２（実施例２参照）を用いるものであってもよく、変換機構４６および駆動機構４７（実施例３参照）を用いるものであってもよく、駆動機構４７Ｄおよび弾性部材４１Ｄ（実施例４参照）を用いるものであってもよく、上記した実施例５に限定されるものではない。
【０１１９】
また、実施例５では、使用者が手動で端子選択部材（端子選択板３４Ｅ）を複数の外部接続端子（ＵＳＢ端子２４、ＨＤＭＩ端子２５またはＡＶ端子２６）の並列方向へと移動させる構成とされていたが、外部接続端子の切り替えを容易なものとすべく、実施例３のように変換機構４６と駆動機構４７とを用いて制御部２１の制御下で移動させるものであってもよく、実施例４のように駆動機構４７Ｄと弾性部材４１Ｄとを用いて制御部２１の制御下で移動させるものであってもよく、上記した実施例５に限定されるものではない。このような構成とする場合、選択された外部接続端子の認識を容易とすべく、実施例３または実施例４と同様に、制御部２１が表示部１８に選択画面５２と状態表示部５３とを表示させるとともに、選択画面５２に従う操作スイッチ１７での操作による外部接続端子の選択を可能とすることが望ましい。加えて、制御部２１は、実施例３または実施例４と同様に、デジタルカメラ１０Ｅが停止されると、その次の起動時に、複数の外部接続端子のうち、最も優先順位が高いもの（ＵＳＢ端子２４）を露出窓３６Ｅから露出させるものとすることとしてもよい。
【０１２０】
なお、上記した各実施例では、本発明に係る電子機器の一例としてのデジタルカメラ１０、１０Ｂ、１０Ｃ、１０Ｄ、１０Ｅについて説明したが、外部機器と接続するために筐体を開口する端子接続口と、該端子接続口の内方に複数の外部接続端子と、を備える電子機器であって、前記端子接続口には、位置に応じていずれか１つの前記外部接続端子のみを露出させる端子選択部材が設けられ、該端子選択部材は、前記各外部接続端子のうちの最も大きなものを露出させる大きさ寸法の露出窓を有し、複数の前記外部接続端子のいずれか１つを前記露出窓から露出させるとともに、他の前記外部接続端子を遮蔽すべく前記各外部接続端子の並列方向に移動可能に前記筐体に設けられている電子機器であればよく、上記した各実施例に限定されるものではない。
【０１２１】
また、上記した各実施例では、端子選択部材の一例として端子選択板３４、３４Ｂ、３４Ｃ、３４Ｄ、３４Ｅが設けられていたが、位置に応じていずれか１つの外部接続端子のみを露出させるものであればよく、上記した各実施例に限定されるものではない。
【０１２２】
さらに、上記した各実施例では、外カバー３１の裏面３１ａに一対のガイド部（３８等）が設けられていたが、端子選択部材（端子選択板（３４等））を複数の外部接続端子の並列方向にスライド移動させるものであればよく、上記した各実施例に限定されるものではない。
【０１２３】
上記した各実施例では、標示部３７、３７Ｅが露出さている外部接続端子の名称とされていたが、露出窓３６、３６Ｅから露出されている外部接続端子がなんであるのかの把握を容易とするものであればよく、上記した各実施例に限定されるものではない。
【０１２４】
上記した実施例１から実施例４では、外部接続端子としてＵＳＢ端子２４とＨＤＭＩ端子２５とが用いられていたが、電子機器（デジタルカメラ１０、１０Ｂ、１０Ｃ、１０Ｄ）において制御部２１の外部機器（その制御部）への接続を可能とする接続端子であればよく、上記した実施例１から実施例４に限定されるものではない。
【０１２５】
上記した実施例５では、外部接続端子としてＵＳＢ端子２４とＨＤＭＩ端子２５とＡＶ端子２６とが用いられていたが、電子機器（デジタルカメラ１０Ｅ）において制御部２１の外部機器（その制御部）への接続を可能とする接続端子であればよく、上記した実施例５に限定されるものではない。
【０１２６】
上記した各実施例では、２つの外部接続端子（実施例１から実施例４）もしくは３つの外部接続端子（実施例５）が設けられている例を示したが、電子機器（デジタルカメラ１０等）において制御部２１の外部機器（その制御部）への接続を可能とする接続端子であれば４つ以上設けられていてもよく、上記した各実施例に限定されるものではない。
【０１２７】
上記した各実施例では、撮像装置としてのデジタルカメラ１０、１０Ｂ、１０Ｃ、１０Ｄ、１０Ｅにおいて複数の外部接続端子のうち選択したいずれか１つのみを露出させるものとしていたが、複数の外部接続端子が設けられるものであれば、カメラ機能を組み込んだＰＤＡ（ｐｅｒｓｏｎａｌ  ｄａｔａ  ａｓｓｉｓｔａｎｔ）や携帯電話機等の携帯型情報端末装置としての電子機器や画像入力装置としての電子機器に適用してもよく、上記した各実施例に限定されるものではない。これは、上述した電子機器では、複数の外部接続端子が設けられることにより、誤差込の問題が生じ得るものであって本願発明の構成を適用することができることによる。
【０１２８】
以上、本発明の電子機器（撮像装置）を各実施例に基づき説明してきたが、具体的な構成については各実施例に限られるものではなく、本発明の要旨を逸脱しない限り、設計の変更や追加等は許容される。
【符号の説明】
【０１２９】
１０、１０Ｂ、１０Ｃ、１０Ｄ、１０Ｅ  （電子機器の一例としての）デジタルカメラ
１１  筐体
１２  撮影光学系
１８  表示部
２１  制御部
２２  撮像素子
２４  （外部接続端子の一例としての）ＵＳＢ端子
２５  （外部接続端子の一例としての）ＨＤＭＩ端子
２６  （外部接続端子の一例としての）ＡＶ端子
３１、３１Ｅ  （筐体の一部を構成する）外カバー
３２、３２Ｅ  端子接続口
３４、３４Ｂ、３４Ｃ、３４Ｄ、３４Ｅ  （端子選択部材の一例としての）端子選択板
３６、３６Ｅ  露出窓
３７、３７Ｅ  （露出窓から露出されている外部接続端子の名称の一例としての）標示部
３８ａ  （位置決め部の一例としての）上端部
３８ｂ  （位置決め部の一例としての）下端部
３９  規制部
４１  弾性部材
４１Ｄ  弾性部材
４２  カム機構
４４ｃ  （案内突起の一例としての）他端部
４５  （位置決め部の一例としての）カム溝部
４５ｂ  （案内溝の一例としての）環状溝
４６  変換機構
４７、４７Ｄ  駆動機構
４８  歯車部材
４９  ギヤ歯
５１  （位置決め部の一例としての）規制突起
５２  選択画面
５３  状態表示部
【先行技術文献】
【特許文献】
【０１３０】
【特許文献１】特開２００６−１４７１９７号公報
【図１】
2013114972.tif 000003
【図２】
2013114972.tif 000004
【図３】
2013114972.tif 000005
【図４】
2013114972.tif 000006
【図５】
2013114972.tif 000007
【図６】
2013114972.tif 000008
【図７】
2013114972.tif 000009
【図８】
2013114972.tif 000010
【図９】
2013114972.tif 000011
【図１０】
2013114972.tif 000012
【図１１】
2013114972.tif 000013
【図１２】
2013114972.tif 000014
【図１３】
2013114972.tif 000015
【図１４】
2013114972.tif 000016
【図１５】
2013114972.tif 000017
【図１６】
2013114972.tif 000018
【図１７】
2013114972.tif 000019
【図１８】
2013114972.tif 000020